(57)【特許請求の範囲】
【請求項１】
給水された洗浄水を便器ボール部の上部から吐出し、便器ボール部が貯め置く溜水に旋回流を起こして便器洗浄を図る大便器であって、
前記給水洗浄水を、前記便器ボール部の上部周りに導く導水路を備え、
該導水路は、給水洗浄水を二つの主流を含む流れとして前記溜水に合流するよう吐出する吐出部を有し、
該吐出部は、前記二つの洗浄水主流が、便器水平面視において前記溜水を挟んで略平行に前記溜水に合流しつつ、前記溜水に同一回転方向の旋回流を起こすように前記溜水に合流する溜水合流関係を採って給水洗浄水を吐出する、
ことを特徴とする大便器。
【請求項２】
請求項１記載の大便器であって、
前記導水路の吐出部は、
前記導水路に導かれた洗浄水を、便器前方側に向けて前記溜水に対して斜め上方から吐出して、前記二つの洗浄水主流の一方である第１の洗浄水主流を引き起こす第１吐出部と、
前記導水路に導かれた洗浄水を、前記第１吐出部と便器を左右に二分する中心軸に対して同じ側から吐出し、前記溜水水面より上部の前記便器ボール面において該ボール面に沿って周回するような洗浄水の流れを生成する第２吐出部と、
該第２吐出部の洗浄水の流れに合流して前記第２吐出部の洗浄水の流れを矯正し、該矯正した第２吐出部の洗浄水の流れを、前記二つの洗浄水主流の他方である第２の洗浄水主流とする第３吐出部とを有する、大便器。
【請求項３】
請求項２記載の大便器であって、
前記第１吐出部は、
前記導水路に導かれた洗浄水を前記導水路に形成した複数の吐出孔からそれぞれ吐出し、各吐出孔からの洗浄水水流を合流させて前記第１の洗浄水主流を引き起こす、大便器。
【請求項４】
請求項２または請求項３記載の大便器であって、
前記第３吐出部は、
前記導水路に導かれた洗浄水を、前記便器ボール部の前方側において前記溜水に向けて吐出して前記第２吐出部の洗浄水の流れに合流させ、前記第２吐出部の洗浄水の流れ向きを前記溜水水面側に矯正する第４吐出部と、
前記導水路に導かれた洗浄水を、便器を左右に二分する中心軸に対して前記第１吐出部と反対側から吐出して前記第４吐出部からの洗浄水で矯正された前記第２吐出部の洗浄水の流れに合流させ、その流れ向きを前記溜水水面側に更に矯正すると共に、矯正後の前記第２吐出部の洗浄水の流れを前記第２の洗浄水主流として、前記第１の洗浄水主流に対する前記溜水合流関係を持って前記溜水に合流させる第５吐出部とを有する、大便器。
【請求項５】
請求項４記載の大便器であって、
前記導水路は、
前記導水路に導かれた洗浄水を前記便器ボール部表面に沿うよう吐出する補助吐水孔を、前記第１〜第５吐出部とは別に備え、前記補助吐水孔からの洗浄水吐出を含めて、前記便器ボール部表面のほぼ全域に亘って洗浄水を流す、大便器。
【請求項６】
請求項２ないし請求項５いずれか記載の大便器であって、
前記便器ボール部は、
前記第１の洗浄水主流を受け止めて旋回の案内をすると共に、前記第１の洗浄水主流が前記溜水に合流した後の洗浄水の旋回状況を規定する第１ボール周壁部と、
前記第２の洗浄水主流を受け止めて旋回の案内をすると共に、前記第２の洗浄水主流が前記溜水に合流した後の洗浄水の旋回状況を規定する第２ボール周壁部とを備える、大便器。
【請求項７】
請求項６記載の大便器であって、
前記第１、第２ボール周壁部は、溜水合流後の洗浄水旋回状況に差を持たせ、一方のボール周壁部は溜水の深さ方向の旋回のリードを大きくし、他方のボール周壁部は前記旋回のリードを小さくする、大便器。
【請求項８】
請求項７記載の大便器であって、
前記第２ボール周壁部は、前記第２の洗浄水主流の前記旋回のリードを大きくし、前記第１ボール周壁部は、前記第１の洗浄水主流の前記旋回のリードを小さくする、大便器。
【請求項９】
請求項８記載の大便器であって、
前記第１ボール周壁部は、
前記便器ボール部の底部に開口したトラップと対向する側で前記溜水を取り囲むように形成され、前記第１の洗浄水主流を受け止める案内棚部であって、前記溜水の溜水面と略一致した高さ位置で、前記旋回リードの小さい旋回状況を前記第１の洗浄水主流に起こす前記案内棚部を有し、
前記第２ボール周壁部は、
前記第２の洗浄水主流を受け止めてこれを前記溜水に合流させる箇所において、前記旋回リードの大きい旋回状況を前記第２の洗浄水主流に起こすことができるよう、前記溜水の上下方向にわたる傾斜が前記案内棚部より大きな周壁面部を有する、大便器。
【請求項１０】
請求項９記載の大便器であって、
前記第２ボール周壁部の前記周壁面部は、前記溜水への洗浄水流入によって起きる溜水水位上昇における溜水面広さの拡張割合が元の広さに対して約４０％以内である、大便器。
【請求項１１】
請求項１記載の大便器であって、
前記導水路の吐出部は、前記二つの主流を含む洗浄水の流れの生成のため、便器水平面視において前記溜水の中央を中心に対角の位置に給水洗浄水を吐出する便器後方側吐出部と便器前方側吐出部を有し、該便器後方側吐出部と便器前方側吐出部のそれぞれは、前記二つの主流の洗浄水の流れが前記溜水を挟んで略平行な関係を採って溜水に合流し、両主流の合流によって溜水に同一方向の旋回が起きるように、前記給水洗浄水を前記溜水に合流させる、
ことを特徴とする大便器。
【請求項１２】
給水された洗浄水を、便器ボール部が貯め置く溜水に流し込み、前記溜水と共にサイホントラップから排出する大便器であって、
前記サイホントラップは、
前記便器ボール部側面に開口したトラップ開口を有し、該トラップ開口から斜め上方に向けた管路を形成する上昇管路部と、
該上昇管路部の上端に連結して湾曲し、前記溜水水位を規定する頂上堰を有する頂上管路部と、
該頂上管路部に連結して下降した下降管路部であって、前記溜水への前記給水洗浄水の流し込みにより前記上昇管路部と前記頂上管路部の前記頂上堰を越えて前記下降管路部に流れ落ちた洗浄水を受け止めて洗浄水の跳ね返りを起こす管路棚部と、該管路棚部で跳ね返った洗浄水を下流側に導く下流側管路部と、該下流側管路部の末端において管路面積を狭小させ洗浄水を便器外部の排水口に導く絞り部とを有する前記下降管路部とを備え、
前記下降管路部は、
前記上昇管路部から運ばれる洗浄水を前記排水口に排出するに当たり、前記頂上堰を越えて流れ落ちる洗浄水の前記管路棚部での受け止めと、前記流れ落ちる洗浄水の流れの向きを前記絞り部の側に転換する流れ向き変更と、前記流れ落ちる洗浄水の前記絞り部での貯め置きとを起こして、前記絞り部において上流側管路の洗浄水によるシールを起こすと共に、前記頂上管路部から前記管路棚部に到るまでの管路部分にエアを残存させたままであっても、前記絞り部に貯め置かれた洗浄水が前記頂上堰まで達する水柱を形成可能とし、前記水柱形成後にあっては前記残存エアを前記頂上管路部に封止状態として、前記便器ボール部の洗浄水を吸引するサイホン作用を発生させて該サイホン作用を継続可能な下降管路形状を有し、
前記頂上堰は、
前記管路棚部に向けて洗浄水が落ち込むよう洗浄水を案内する案内片を有し、該案内片が前記管路棚部以降の管路から上昇したエアのエア溜まりとなるよう、前記案内片を突出して有する、
ことを特徴とする、大便器。
【請求項１３】
給水された洗浄水を、便器ボール部が貯め置く溜水に流し込み、前記溜水と共にサイホントラップから排出する大便器であって、
前記サイホントラップは、
前記便器ボール部側面に開口したトラップ開口を有し、該トラップ開口から斜め上方に向けた管路を形成する上昇管路部と、
該上昇管路部の上端に連結して湾曲し、前記溜水水位を規定する頂上堰を有する頂上管路部と、
該頂上管路部に連結して下降した下降管路部であって、前記溜水への前記給水洗浄水の流し込みにより前記上昇管路部と前記頂上管路部の前記頂上堰を越えて前記下降管路部に流れ落ちた洗浄水を受け止めて洗浄水の跳ね返りを起こす管路棚部と、該管路棚部で跳ね返った洗浄水を下流側に導く下流側管路部と、該下流側管路部の末端において管路面積を狭小させ洗浄水を便器外部の排水口に導く絞り部とを有する前記下降管路部とを備え、
前記下降管路部は、
前記上昇管路部から運ばれる洗浄水を前記排水口に排出するに当たり、前記頂上堰を越えて流れ落ちる洗浄水の前記管路棚部での受け止めと、前記流れ落ちる洗浄水の流れの向きを前記絞り部の側に転換する流れ向き変更と、前記流れ落ちる洗浄水の前記絞り部での貯め置きとを起こして、前記絞り部において上流側管路の洗浄水によるシールを起こすことと、前記頂上管路部に存在していたエアが前記上昇管路部を上昇してきた洗浄水に押されて前記頂上管路部以降の管路に流れ込むと、該流れ込んだエアを前記頂上管路部より下流で封止して前記頂上管路部側に戻らないようにすることによって、前記絞り部に貯め置かれた洗浄水が前記頂上堰まで達する水柱を形成して、前記便器ボール部の洗浄水を吸引するサイホン作用を発生させ該サイホン作用を継続可能な下降管路形状を有し、
前記頂上堰は、
前記管路棚部に向けて洗浄水が落ち込むよう洗浄水を案内する案内片を有し、該案内片が前記管路棚部以降の管路から上昇したエアのエア溜まりとなるよう、前記案内片を突出して有する、
ことを特徴とする、大便器。
【請求項１４】
請求項１２または請求項１３記載の大便器であって、
前記頂上管路部は、
前記下降管路部に繋がる管路部分が前記頂上堰を越えて前記下降管路部に落ち込む洗浄水の流れを境にエア残存領域として区画されるような管路形状を有する、大便器。
【請求項１５】
請求項１４記載の大便器であって、
前記頂上管路部は、
前記上昇管路部の管路断面積より広い断面積で、前記上昇管路部と前記下降管路部とを連結する、大便器。
【請求項１６】
請求項１５記載の大便器であって、
前記下降管路部は、
前記管路棚部から前記絞り部にかけて、管路断面の面積が前記上昇管路部の管路断面積と少なくとも同じ程度の面積となるまで減少徐変する下降管路形状を有する、大便器。
【請求項１７】
請求項１６記載の大便器であって、
前記下降管路部の前記管路断面は、便器左右方向において管路軸心側に絞られた断面形状とされている、大便器。
【請求項１８】
請求項１７記載の大便器であって、
前記下降管路部は、
前記下降管路を、前記頂上堰を越えて落ち込んだ洗浄水が前記便器ボール部の側に跳ね返って前記絞り部に導かれるようにして備え、
前記絞り部は、前記導かれた洗浄水を前記便器ボール部側で受け止める棚部を有し、該棚部で洗浄水を受け止めた後に該洗浄水を前記排水口に導くものとされている、大便器。
【請求項１９】
請求項１２ないし請求項１８いずれか記載の大便器であって、
給水された洗浄水を便器ボール部が貯め置く溜水に流し込む導水路として、給水洗浄水を前記便器ボール部の上部周りに導く導水路を備え、
該導水路は、給水洗浄水を二つの主流を含む流れとして前記溜水に合流するよう吐出する吐出部を有し、
該吐出部は、前記二つの洗浄水主流が、便器水平面視において前記溜水を挟んで略平行に前記溜水に合流しつつ、前記溜水に同一回転方向の旋回流を起こすように前記溜水に合流する溜水合流関係を採って給水洗浄水を吐出し、
前記導水路の吐出部は、
前記導水路に導かれた洗浄水を、便器前方側に向けて前記溜水に対して斜め上方から吐出して、前記二つの洗浄水主流の一方である第１の洗浄水主流を引き起こす第１吐出部と、
前記導水路に導かれた洗浄水を、前記第１吐出部と便器を左右に二分する中心軸に対して同じ側から吐出し、前記溜水水面より上部の前記便器ボール面において該ボール面に沿って周回するような洗浄水の流れを生成する第２吐出部と、
該第２吐出部の洗浄水の流れに合流して前記第２吐出部の洗浄水の流れを矯正し、該矯正した第２吐出部の洗浄水の流れを、前記二つの洗浄水主流の他方である第２の洗浄水主流とする第３吐出部とを有し、
前記第１吐出部は、
前記導水路に導かれた洗浄水を前記導水路に形成した複数の吐出孔からそれぞれ吐出し、各吐出孔からの洗浄水水流を合流させて前記第１の洗浄水主流を引き起こし、
前記第３吐出部は、
前記導水路に導かれた洗浄水を、前記便器ボール部の前方側において前記溜水に向けて吐出して前記第２吐出部の洗浄水の流れに合流させ、前記第２吐出部の洗浄水の流れ向きを前記溜水水面側に矯正する第４吐出部と、
前記導水路に導かれた洗浄水を、便器を左右に二分する中心軸に対して前記第１吐出部と反対側から吐出して前記第４吐出部からの洗浄水で矯正された前記第２吐出部の洗浄水の流れに合流させ、その流れ向きを前記溜水水面側に更に矯正すると共に、矯正後の前記第２吐出部の洗浄水の流れを前記第２の洗浄水主流として、前記第１の洗浄水主流に対する前記溜水合流関係を持って前記溜水に合流させる第５吐出部とを有し、
前記導水路は、
前記導水路に導かれた洗浄水を前記便器ボール部表面に沿うよう吐出する補助吐水孔を、前記第１〜第５吐出部とは別に備え、前記補助吐水孔からの洗浄水吐出を含めて、前記便器ボール部表面のほぼ全域に亘って洗浄水を流し、
前記便器ボール部は、
前記第１の洗浄水主流を受け止めて旋回の案内をすると共に、前記第１の洗浄水主流が前記溜水に合流した後の洗浄水の旋回状況を規定する第１ボール周壁部と、
前記第２の洗浄水主流を受け止めて旋回の案内をすると共に、前記第２の洗浄水主流が前記溜水に合流した後の洗浄水の旋回状況を規定する第２ボール周壁部とを備え、
前記第１、第２ボール周壁部は、溜水合流後の洗浄水旋回状況に差を持たせ、一方のボール周壁部は溜水の深さ方向の旋回のリードを大きくし、他方のボール周壁部は前記旋回のリードを小さくし、
前記第２ボール周壁部は、前記第２の洗浄水主流の前記旋回のリードを大きくし、前記第１ボール周壁部は、前記第１の洗浄水主流の前記旋回のリードを小さくし、
前記第１ボール周壁部は、
前記便器ボール部の底部に開口したトラップと対向する側で前記溜水を取り囲むように形成され、前記第１の洗浄水主流を受け止める案内棚部であって、前記溜水の溜水面と略一致した高さ位置で、前記旋回リードの小さい旋回状況を前記第１の洗浄水主流に起こす前記案内棚部を有し、
前記第２ボール周壁部は、
前記第２の洗浄水主流を受け止めてこれを前記溜水に合流させる箇所において、前記旋回リードの大きい旋回状況を前記第２の洗浄水主流に起こすことができるよう、前記溜水の上下方向にわたる傾斜が前記案内棚部より大きな周壁面部を有する、大便器。
【発明の詳細な説明】
【０００１】
【発明の属する技術分野】
本発明は、給水された洗浄水を便器ボール部に吐出して便器洗浄を図る大便器と、こうした大便器であってサイホントラップ管路を有する大便器の製造方法に関する。
【０００２】
【従来の技術】
この種の大便器にあっては、汚物を便器ボール部の溜水並びに給水洗浄水と共に効率よく排出する性能と、給水洗浄水総量の少量化が求められている。こうした要求に対応するために、種々の手法が提案されており、次の手法に大別される。第１の手法は、溜水に給水洗浄水を合流させて旋回を起こし、その旋回流の流れで汚物をトラップに押し込む手法である。第２の手法は、サイホン作用により汚物を溜水・洗浄水と共に吸引する手法である。
【０００３】
こうした手法を採るに当たっては、便器ボール部の上縁周りにリム通水路を設け、この通水路に設けた吐出孔から溜水に向けて給水洗浄水を吐出することで、溜水に旋回流を起こすことが一般的である。また、サイホン作用の発生には、このような旋回流による溜水のトラップへの押し込みや、リム通水路に設けた複数の吐出孔からの単純な洗浄水落とし込みによる溜水の押し込みが利用されている。
【０００４】
【発明が解決しようとする課題】
しかしながら、従来の大便器で採られていた手法であっても、十分とはいえず、以下に説明するような問題点が指摘されるに到った。
【０００５】
近年では、汚物洗浄に用いる洗浄水総量（給水洗浄水総量）の少量化の要請がより高まり、この洗浄水総量を約６リットル程度といった少量とすることが一般的となりつつある。こうした少量の総流量で上記した旋回流の生成・サイホン作用の発生を起こすために、高い水勢で、即ち大流量で洗浄水を給水することが着目されており、約１００〜１５０リットル／ｍｉｎ程度の流量で洗浄水を便器ボール部に流し込むようにすることが多用されている。
【０００６】
このように高い水勢が必要とされることから、給水洗浄水を洗浄水タンクから排出する大便器にあっては、高水勢確保のためにタンク内の貯留洗浄水の水面を高くして水頭圧を確保する必要があった。このため、洗浄水タンクを高くせざるを得ないので、タンク・便器の一体型のものでは、デザイン上の制約を受け、大便器のローシルエット化が損なわれていた。
【０００７】
また、水道管等の一次側配管の洗浄水を直接便器に給水する形式の便器では、溜水に合流する洗浄水の水勢を高める都合上、高い一次側給水圧での給水を要する。その一方、高い水勢で洗浄水を溜水に合流させて旋回流を生成する場合、高水勢は旋回流の生成には都合が良いものの、高水勢のまま洗浄水合流が続くので、旋回流に無用な旋回の乱れを起こしてしまうこともあった。こうなると、洗浄水のエネルギ（水勢）が旋回流の継続生成には無駄となることもあり、旋回流に基づくトラップへの洗浄水押し込み効率の低下を招く虞もあった。しかも、一次側給水圧が低い地域では、給水による洗浄水水勢も低くなって旋回流による押し込み効率も低くなる。よって、旋回流方式の大便器の低給水地域や国への普及が進まないでいた。
【０００８】
ところで、サイホン作用を利用した大便器では、サイホン作用の発生とその継続が不可欠である。よって、溜水への給水洗浄水の流し込みに当たり、流し込み当初において、サイホントラップの管路内のエアを総てトラップ外部に排出させて管路内の満水化を図ることが重要視されていた。このため、便器ボール部への洗浄水吐出が既述した旋回流方式或いは落とし込み方式のいずれであっても、溜水への洗浄水の流し込みを高水勢で行えば、管路内エアの外部排出と満水化を短期間に少ない洗浄水量で達成でき、好都合である。その反面、洗浄水の流し込みが低水勢となるとエア排出並びに管路満水には長期間の洗浄水供給が必要であり多量の洗浄水を使用する必要があるとされ、低水勢での洗浄水流し込みについてはその採用すら検討されていないのが現状であった。こうした背景から、サイホントラップを用いた大便器にあっても、水頭圧確保のための洗浄水タンクの高さ増大によるデザイン上の制約や、一次側給水圧制限（高給水圧）を受けていた。
【０００９】
その一方、既存のサイホントラップ式の大便器では、サイホン作用の早期発生を図るため、種々の工夫がなされており、サイホントラップ管路を早期のうちに満水化する手法が多用されている。つまり、便器ボール部へは、高い水勢で、即ち約９０〜１００リットル／ｍｉｎ程度、場合によっては約１５０リットル／ｍｉｎといった大流量で洗浄水を便器ボール部に流し込んで、この水の勢いでサイホントラップ管路内の空気を管路外に押しだし、管路の総てを洗浄水で早期のうちに満たすのである。
【００１０】
このような既存のサイホントラップ式の大便器では、大流量での洗浄水給水による管路満水化を前提としているので、大流量での洗浄水の流入・通過に対処すべく、上昇管路から湾曲管路を経て下降管路に到るまでのサイホントラップ管路軌跡については種々の技術が提案されていた。これら技術では、製造時のサイホントラップ管路の成形精度の向上や個々の部分の管路形状については、特段の配慮がなされないでいた。しかしながら、近年では、汚物洗浄に用いる洗浄水総量（給水洗浄水総量）の少量化の要請がより高まりつつあるので、サイホントラップ管路個々の形状や精度向上についての工夫も必要となるものの、その対処が十分とはいえないのが現状である。
【００１１】
具体的に説明すると以下の通りである。
既述したように、大流量で洗浄水を便器ボール部に流し込むので、上昇管路部、溜水水位を規定する頂上堰を有する湾曲頂上部、下降管路部が連続してサイホントラップ管路が形成されていれば、サイホン発生に不都合はなかった。このため、便器製造に当たっては、便器ボール部の内周壁形状に適合した凸部形状を有する型に泥漿を堆積させ、こうしてできた素地の型密着側を便器ボール部の内壁とし、素地の反対側を上昇管路部の内壁としていた。この素地の反対側は、型の型面に触れないで形成されたものであるので、凹凸ができたりすることがあった。湾曲頂上部についても同様である。特に、この湾曲頂上部では、頂上堰が管路内側に有るため、頂上部は、管路の折り返しにより管路内で凸となった形状とするしかなく、その形状についての工夫はできないでいた。つまり、管路内壁に凹凸ができたとしても、既存の大便器では、大流量での洗浄水給水を前提とするので、この凹凸が洗浄水の管路通水に支障を来す虞はなく、問題視されることはなかった。また、既存便器では、大流量での洗浄水により管路内エアを一気に追い出すので、頂上堰は管路の折り返しによる凸形状であれば良く、その形状が問題視されることもなかった。これらの点から、成形精度向上や管路の個々の形状等についての配慮に欠けていたのである。
【００１２】
ところで、こうしたサイホントラップ式の大便器を設置するに際しては、便器外部の排水口とサイホントラップ管路とを接続する必要がある。この排水口の仕様は、一律ではなく、自治体や政府或いは団体等の規制を受けていることから、便器外部の排水口とサイホントラップ管路との接続には、陶器製便器とは別材料のいわゆるソケットと称される別部品が用いられている。
【００１３】
例えば、便器壁から排水口センターまでの距離を意味するラフィンは、国ごとに或いは地域ごとに種々定められている。ラフィンが異なると、便器後端と排水口との間の距離が異なることになる。これに対して、便器におけるサイホントラップ経路はほぼ同じであるので、便器設置に際しては、ラフィンの相違に応じて屈曲等した上記のソケットを選択して用いる必要があり、施工時にあっては煩雑であった。こうした煩雑さを解消するには陶器製便器におけるサイホントラップ管路の末端位置をラフィンに応じて変えればよいが、その分だけ、便器本体製造のための型（本体用型）の種類が増えてその準備や型選択が必要となり、型製造コスト増や、型管理コスト増を招く。このため、上記のソケットの選択で対処せざるを得ないのが実状である。
【００１４】
本発明は、上記問題点を解決するためになされ、大便器のローシルエット化の推進や、大便器の設置の汎用性を高めることを目的とする。
【００１５】
また、サイホントラップ式の大便器にあっては、サイホントラップ管路の形状の多様性を図ることや、排水口仕様への適合性を陶器製便器自体で高めることを目的とする。
【００１６】
【課題を解決するための手段およびその作用・効果】
かかる課題の少なくとも一部を解決するため、本発明の第１の大便器は、
給水された洗浄水を便器ボール部の上部から吐出し、便器ボール部が貯め置く溜水に旋回流を起こして便器洗浄を図る大便器であって、
前記給水洗浄水を、前記便器ボール部の上部周りに導く導水路を備え、
該導水路は、給水洗浄水を二つの主流を含む流れとして前記溜水に合流するよう吐出する吐出部を有し、
該吐出部は、前記二つの洗浄水主流が、便器水平面視において前記溜水を挟んで略平行に前記溜水に合流しつつ、前記溜水に同一回転方向の旋回流を起こすように前記溜水に合流する溜水合流関係を採って給水洗浄水を吐出する、
ことを特徴とする。
【００１７】
上記構成を有する本発明の第１の大便器では、二つの洗浄水主流を溜水に合流させるに当たり、これら主流の合流が便器水平面視において溜水を挟んで略平行に起き、溜水に同一回転方向の旋回流が起きるようにする。このような溜水合流関係を持って各主流が溜水に合流するので、お互いの主流が旋回流生成の乱れを及ぼし合うことがない。このため、溜水には旋回流を確実に誘起できる。そして、互いの主流で起きた旋回流は、合流が略平行かつ同一回転方向であるという関係であることから、旋回流の旋回方向を乱すことなくその旋回を促進し合うので、吐出洗浄水のエネルギ（水勢）を旋回流生成に無駄なく用いることができ、これを通して、旋回流による溜水の押し込み効率を高めることができる。しかも、こうした状況は、二つの洗浄水主流の流量が少ない場合であっても起きるので、二つの洗浄水主流の生成のための洗浄水が少なくても、旋回による押し込み性能を維持できる。この結果、少流量での洗浄水吐出を図ることができ、洗浄水総量の少量化をもたらすことができる。
【００１８】
そして、このように少流量での洗浄水吐出と洗浄水総量の少量化を両立できることから、主流生成のために給水する洗浄水を洗浄水タンクからのものとした場合には、水頭圧を小さくできるので、その分だけ、洗浄水タンクを低くできる。よって、洗浄水タンクを含めた大便器全体のデザイン性の向上と、大便器のローシルエット化を図ることができる。
【００１９】
また、主流生成のために給水する洗浄水に一次側配管からの洗浄水給水を利用するものとした場合には、少流量での洗浄水吐出により洗浄に必要な旋回流を生成できるので、低給水圧の一次側配管の地域でも対応できる。よって、水道施設状況等により一次側給水圧が低い地域であっても、本発明の大便器を設置できることになる。このため、設置場所に対する汎用性が高まるので、本発明のように旋回流方式を採る大便器の低給水地域や国への普及を促進することができる。なお、法規制等で高給水圧が要求されている国や地域であっても、減圧弁等を設置することで、本発明の大便器を容易に適用設置できる。
【００２０】
しかも、大流量に基づく高い水勢での洗浄水吐出を起こす必要がないので、洗浄水吐出や溜水への洗浄水合流に伴う音の発生を抑制でき、便器洗浄時の静寂性を高めることができる。また、高い水勢での洗浄水吐出による不用意な水跳ねをも抑制できる。
【００２１】
上記した溜水を挟んだ二つの洗浄水主流の溜水合流は、溜水の溜水面輪郭の長辺の側でそれぞれ起きることようにすることができる。こうすれば、各主流の溜水合流の際の流れ方向にねらいが付けやすく、好ましい。
【００２２】
上記の構成を有する本発明の第１の大便器は、以下の種々の態様を採ることもできる。
即ち、前記導水路の吐出部は、
前記導水路に導かれた洗浄水を、便器前方側に向けて前記溜水に対して斜め上方から吐出して、前記二つの洗浄水主流の一方である第１の洗浄水主流を引き起こす第１吐出部と、
前記導水路に導かれた洗浄水を、前記第１吐出部と便器を左右に二分する中心軸に対して同じ側から吐出し、前記溜水水面より上部の前記便器ボール面において該ボール面に沿って周回するような洗浄水の流れを生成する第２吐出部と、
該第２吐出部の洗浄水の流れに合流して前記第２吐出部の洗浄水の流れを矯正し、該矯正した第２吐出部の洗浄水の流れを、前記二つの洗浄水主流の他方である第２の洗浄水主流とする第３吐出部とを有する。
【００２３】
こうすれば、第２の洗浄水主流を、洗浄水の流れ（水流）の合流を経たものとできるので、水流合流により正確な方向性と強い水勢を持たせることができる。よって、第２の洗浄水主流をその流れの軌跡が安定したものとできるので、主流の流れを確実に略平行かつ同一回転方向に導くことができる。このため、第１、第２の洗浄水主流生成のための洗浄水吐出に際して、少流量での洗浄水吐出を通した洗浄水総量の少量化の信頼性を高めることができる。
【００２４】
また、前記第１吐出部は、
前記導水路に導かれた洗浄水を前記導水路に形成した複数の吐出孔からそれぞれ吐出し、各吐出孔からの洗浄水水流を合流させて前記第１の洗浄水主流を引き起こす。
【００２５】
こうすれば、第１の洗浄水主流にあってもその流れの軌跡が安定したものとでき、しかも合流部分に強い流れが生じるので、第２の洗浄水主流の軌跡安定化と相まって、少流量での洗浄水吐出並びに洗浄水総量の少量化の信頼性をより高めることができる。
【００２６】
また、前記第３吐出部は、
前記導水路に導かれた洗浄水を、前記便器ボール部の前方側において前記溜水に向けて吐出して前記第２吐出部の洗浄水の流れに合流させ、前記第２吐出部の洗浄水の流れ向きを前記溜水水面側に矯正する第４吐出部と、
前記導水路に導かれた洗浄水を、便器を左右に二分する中心軸に対して前記第１吐出部と反対側から吐出して前記第４吐出部からの洗浄水で矯正された前記第２吐出部の洗浄水の流れに合流させ、その流れ向きを前記溜水水面側に更に矯正すると共に、矯正後の前記第２吐出部の洗浄水の流れを前記第２の洗浄水主流として、前記第１の洗浄水主流に対する前記溜水合流関係を持って前記溜水に合流させる第５吐出部とを有する。
【００２７】
この場合、第５吐出部は、第２吐出部からの洗浄水の流れに向かい合うように洗浄水を吐出して、当該吐出洗浄水を第２吐出部の洗浄水の流れに合流させ、この第２吐出部の洗浄水の流れを第１の洗浄水主流と略平行かつ同一回転方向に溜水に合流させるようにすることもできる。
【００２８】
このようによれば、第２の洗浄水主流の矯正を、便器前方側からと第１の洗浄水主流の対角側とから行うので、矯正後の第２の洗浄水主流の軌跡をより安定化させ、互いの主流の略平行かつ同一回転方向への合流の確実性の向上を図り、洗浄水総量の少量化の信頼性をより高めることができる。
【００２９】
また、前記導水路は、
前記導水路に導かれた洗浄水を前記便器ボール部表面に沿うよう吐出する補助吐水孔を、前記第１〜第５吐出部とは別に備え、前記補助吐水孔からの洗浄水吐出を含めて、前記便器ボール部表面のほぼ全域に亘って洗浄水を流す。
【００３０】
こうすれば、便器ボール部の表面のほぼ全域に洗浄水を行き渡らせることができる。よって、ボール部表面に付着したペーパーや汚物を溜水に確実に流し込むことができ、ボール部表面の清浄性を高めることができる。
【００３１】
また、前記便器ボール部は、
前記第１の洗浄水主流を受け止めて旋回の案内をすると共に、前記第１の洗浄水主流が前記溜水に合流した後の洗浄水の旋回状況を規定する第１ボール周壁部と、
前記第２の洗浄水主流を受け止めて旋回の案内をすると共に、前記第２の洗浄水主流が前記溜水に合流した後の洗浄水の旋回状況を規定する第２ボール周壁部とを備える。
【００３２】
こうすれば、第１、第２の洗浄水主流をその流れの軌跡がより安定した流れとできるので、互いの主流が既述したように略平行かつ同一回転方向であるという溜水合流関係をより確実に維持できると共に、洗浄水総量の少量化の信頼性の更なる向上を図ることができる。
【００３３】
また、前記第１、第２ボール周壁部は、溜水合流後の洗浄水旋回状況に差を持たせ、一方のボール周壁部は溜水の深さ方向の旋回のリードを大きくし、他方のボール周壁部は前記旋回のリードを小さくする。この場合、第２ボール周壁部は、前記第２の洗浄水主流の前記旋回のリードを大きくし、前記第１ボール周壁部は、前記第１の洗浄水主流の前記旋回のリードを小さくすることもできる。
【００３４】
こうすれば、リードの大きい旋回流で旋回に基づく溜水の押し込み性能をより高めることができると共に、リードの小さい旋回流で汚物をとりまとめてリードの大きい旋回流に送り汚物の排出を行うことができる。よって、少流量での洗浄水主流生成であっても、押し込み性能を維持できる。換言すれば、少流量での洗浄水吐出としつつ洗浄水総量の少量化を図っても、旋回による押し込み性能を維持でき、この押し込みにより汚物を排出する能力（便器洗浄能力）を確実に発揮できる。
【００３５】
加えて、便器ボール部は、その底部をすり鉢状にしていることから、ボール部底部のトラップ開口へと向かう旋回流の旋回半径は徐々に小さくなり、旋回流の勢いは増大していく。このため上記した旋回流による押し込みの性能はさらに向上することになる。
【００３６】
上記したようなリードに差を持たせるボール周壁部とするに当たり、
前記第１ボール周壁部を、
前記便器ボール部の底部に開口したトラップと対向する側で前記溜水を取り囲むように形成され、前記第１の洗浄水主流を受け止める案内棚部であって、前記溜水の溜水面と略一致した高さ位置で、前記旋回リードの小さい旋回状況を前記第１の洗浄水主流に起こす前記案内棚部を有する者とできる。
また、前記第２ボール周壁部を、
前記第２の洗浄水主流を受け止めてこれを前記溜水に合流させる箇所において、前記旋回リードの大きい旋回状況を前記第２の洗浄水主流に起こすことができるよう、前記溜水の上下方向にわたる傾斜が前記案内棚部より大きくされた周壁面部を有するものとできる。
【００３７】
こうすれば、第１の洗浄水主流は、案内棚部に受け止められて溜水面付近においてほぼ横方向の旋回へと案内され、旋回リードの小さな旋回流をより確実に起こすことができる。第２の洗浄水主流は、傾斜の大きな周壁面部に受け止められ、その傾斜により大きな旋回リードの旋回流を確実に起こすことができる。この結果、上記した旋回流による押し込み性能をより確実に高めることができると共に、リードの小さい旋回流での汚物とりまとめ等を確実に起こすことができる。
【００３８】
この場合、前記第２ボール周壁部の前記周壁面部を、前記溜水への洗浄水流入によって起きる溜水水位上昇における溜水面広さの拡張の割合が元の広さに対して約４０％以内とすることができる。
こうすれば、第２ボール周壁部の周壁面部で案内された第２の洗浄水主流は、より確実に大きなリードの旋回流を溜水に起こすので、上記した旋回流による押し込み性能をより一層確実に高めることができる。
なお、この第２ボール周壁部の周壁面部をその鉛直方向の断面形状において、溜水水面と周壁面部の断面周壁面とがなす角度を、約５〜２５°とするような急傾斜にすれば、周壁面部の周壁面で案内した第２の洗浄水主流を、大きなリードの旋回流とする上で好ましい。
【００３９】
また、上記した課題の少なくとも一部を解決するため、本発明の第２の大便器は、導水路の吐出部において第１の発明と相違し、
前記導水路の吐出部は、前記二つの主流を含む洗浄水の流れの生成のため、便器水平面視において前記溜水の中央を中心に対角の位置に給水洗浄水を吐出する便器後方側吐出部と便器前方側吐出部を有し、該便器後方側吐出部と便器前方側吐出部のそれぞれは、前記二つの主流の洗浄水の流れが前記溜水を挟んで略平行な関係を採って溜水に合流し、両主流の合流によって溜水に同一方向の旋回が起きるように、前記給水洗浄水を前記溜水に合流させる、
ことを特徴とする。
【００４０】
こうしてもそれぞれの吐出部から吐出された洗浄水の流れの溜水への合流は、便器水平面視において溜水を挟んで略平行に起き、溜水には同一回転方向の旋回流を起こす。よって、この大便器にあっても、既述した第１の大便器と同様に溜水に旋回流を確実に誘起できることから、第１の大便器と同様の利点がある。
なお、この第２の大便器であっても、第１の大便器と同様の種々なる態様を採ることができる。
【００４１】
また、上記した課題の少なくとも一部を解決するため、本発明の第３の大便器は、
給水された洗浄水を、便器ボール部が貯め置く溜水に流し込み、前記溜水と共にサイホントラップから排出する大便器であって、
前記サイホントラップは、
前記便器ボール部側面に開口したトラップ開口を有し、該トラップ開口から斜め上方に向けた管路を形成する上昇管路部と、
該上昇管路部の上端に連結して湾曲し、前記溜水水位を規定する頂上堰を有する頂上管路部と、
該頂上管路部に連結して下降した下降管路部であって、前記溜水への前記給水洗浄水の流し込みにより前記上昇管路部と前記頂上管路部の前記頂上堰を越えて前記下降管路部に流れ落ちた洗浄水を受け止めて洗浄水の跳ね返りを起こす管路棚部と、該管路棚部で跳ね返った洗浄水を下流側に導く下流側管路部と、該下流側管路部の末端において管路面積を狭小させ洗浄水を便器外部の排水口に導く絞り部とを有する前記下降管路部とを備え、
前記下降管路部は、
前記上昇管路部から運ばれる洗浄水を前記排水口に排出するに当たり、前記頂上堰を越えて流れ落ちる洗浄水の前記管路棚部での受け止めと、前記流れ落ちる洗浄水の流れの向きを前記絞り部の側に転換する流れ向き変更と、前記流れ落ちる洗浄水の前記絞り部での貯め置きとを起こして、前記絞り部において上流側管路の洗浄水によるシールを起こすと共に、前記頂上管路部から前記管路棚部に到るまでの管路部分にエアを残存させたままであっても、前記絞り部に貯め置かれた洗浄水が前記頂上堰まで達する水柱を形成可能とし、前記水柱形成後にあっては前記残存エアを前記頂上管路部に封止状態として、前記便器ボール部の洗浄水を吸引するサイホン作用を発生させて該サイホン作用を継続可能な下降管路形状を有し、
前記頂上堰は、
前記管路棚部に向けて洗浄水が落ち込むよう洗浄水を案内する案内片を有し、該案内片が前記管路棚部以降の管路から上昇したエアのエア溜まりとなるよう、前記案内片を突出して有する、
ことを特徴とする。
【００４２】
上記構成を有する本発明の第３の大便器では、溜水への給水洗浄水の流し込みが起き便器洗浄が開始されると、上昇管路部から頂上管路部の頂上堰を越えて下降管路部に流れ落ちた洗浄水は、下降管路部の管路棚部に受け止められて跳ね返る。こうして跳ね返った洗浄水は、洗浄水の流れの向きを絞り部の側に転換して更に下流側に流れ落ち、その際に、下降管路部内のエアの巻き込みを伴う管路流下と、流れ方向の転換に伴う洗浄水の流下速度の低下を来して、下流側管路部末端の絞り部に達する。絞り部に達した洗浄水は、エアの巻き込みを起こしたまま絞り部を通って排水口から流れ出るものの、この絞り部で、管路面積狭小に基づき貯め置かれる。こうして貯め置かれた洗浄水は、その一部が絞り部を通って排水口から流れ出る。この場合、洗浄水貯め置きに際して上記した流下速度の低下を起こしていることから、頂上堰を越えて下降管路部に流れ落ちる洗浄水の流量は、絞り部を経て排出口に流れ出る洗浄水流量より勝ることになるので、洗浄開始当初において、絞り部での洗浄水の貯め置きと排水口への排出を並行して起こすことができる。そして、絞り部での洗浄水の貯め置き水量は、下降管路部への洗浄水の流れ落ちが継続されるに連れて増加するので、下流管路部では、絞り部においてその上流側管路が貯め置き洗浄水でシールされる。こうしてシールを起こした後は、その後の洗浄水の流れ落ちの継続により、絞り部から頂上堰までに達する水柱が形成されると共に、この洗浄水水柱により排出口外部からのエアの進入が防止される。
【００４３】
上記のように洗浄水によるシールと水柱の形成がなされた後の洗浄段階では、下流管路部における上記形成済みの水柱が排出口へ落下する際の水頭により洗浄水通水が起きるので、トラップ内では減圧現象が起きる。しかも、上昇管路部を通過して頂上堰を乗り越え下降管路部に流れ込もうとする洗浄水の流れ込みは、この減圧現象の間も継続されることから、上昇管路部の側からのエアの吸込も起こさない。よって、便器ボール部の溜水水面と絞り部の高さの相違によって、便器ボール部の洗浄水を吸引するいわゆるサイホン作用が発生し、エア吸込によるサイホン消滅が起きるまで、このサイホン作用は継続される。このため、便器ボール部の汚物は溜水並びに給水洗浄水と共に強制的にサイホントラップに吸引されて排出される。
【００４４】
上記した洗浄水の水柱形成を起こす洗浄開始当初の状況では、既述したように、下降管路部の管路棚部での洗浄水の跳ね返り、この跳ね返った洗浄水によるエアの巻き込みと管路流下を起こし、管路棚部以降のエア排出を起こす。この場合、管路棚部以降で排出されなかったエアは、既にシール済みの水柱形成後であることから、この水柱を上昇して頂上管路部から前記管路棚部に到るまでの管路部分に貯まる。或いは、この上昇エアは、頂上堰が突出させて有する案内片部で貯め置かれる。
【００４５】
このようなエアの残存は、少ない洗浄水で便器洗浄がなされた場合に顕著に起き、多量の洗浄水で便器洗浄を行ってトラップ管路内のエアを総て排出させる既存の便器では起きないようにされていた。しかしながら、本発明では、上記のように頂上管路部から管路棚部に到るまでの管路部分にエアを残存させたままであっても、下降管路形状を工夫することで、この残存エアを封止した上で、水柱形成を可能としてサイホン作用の発生・継続を起きるようにした。このため、比較的少量の洗浄水の供給によりサイホン作用を持続できる。なお、サイホン作用が発生すると、頂上管路部に封止されていた残存エアは、吸引される洗浄水に巻き込まれるが、既に頂上堰に達するまで水柱は形成済みであることから、水柱を通過して排出口から外部に排出されにくくなる。よって、残存エアの排出に伴う水柱の破砕も起きにくくなり、サイホン作用の持続に都合がよい。
【００４６】
このようにサイホントラップの一部管路部分に洗浄開始当初においてエアが残存していてもサイホン作用の発生・継続ができることから、次の利点がある。
【００４７】
既存のサイホントラップを有する大便器では、既述したように、溜水への給水洗浄水の流し込みに当たり、洗浄開始当初において、サイホントラップの管路内のエアを総てトラップ外部に排出させることが重要視されていた。このため、大流量の洗浄水を当初から便器ボール部に継続的に流し込むことが必要とされていた。
【００４８】
本発明の大便器では、サイホントラップからのエア排出を洗浄開始当初において要しないので、溜水への給水洗浄水の流し込みを少流量で当初から継続して行えば足りる。よって、洗浄水給水のために洗浄水タンクを用いるものにあっては、タンクの水頭圧を低くできるので、その分だけ、洗浄水タンク高さを低く抑えることができる。この結果、便器のローシルエット化、延いては意匠性の向上を図ることができる。
【００４９】
また、水道管等の一次側配管の洗浄水を直接便器に給水するものにあっては、一次側給水圧が低くても、溜水への給水洗浄水の流し込みを少流量で当初から継続できる。このため、水道施設状況や降水状況、或いは気候的・地域的特性から一次側給水圧が低い地域であっても、本発明の大便器を適用できることになり、汎用性が高まる。なお、法規制等で高給水圧が要求されている国や地域であっても、減圧弁等を設置することで、本発明の大便器を容易に適用設置できる。
【００５０】
更に、溜水に旋回流を引き起こしてトラップへの洗浄水押し込みを図るものにあっては、旋回流を引き起こすために溜水に合流させる洗浄水を、少流量で吐出させれば足りる。つまり、大流量に基づく高い水勢での洗浄水吐出を起こす必要がなく、少流量の比較的低い水勢で洗浄水を吐出して溜水に合流させればよい。よって、溜水への洗浄水合流に基づく旋回流生成に際しては、低水勢（少流量）での洗浄水吐出により、旋回流に無用な旋回の乱れを起こさないようにできる。この結果、吐出された洗浄水のエネルギ（水勢）を旋回流生成に無駄なく用いることができ、旋回流の安定形成と、旋回流に基づくトラップへの洗浄水押し込みの効率化を図ることができる。
【００５１】
加えて、大流量に基づく高い水勢での洗浄水吐出を起こす必要がないので、洗浄水吐出や溜水への洗浄水合流に伴う音の発生を抑制でき、便器洗浄時の静寂性を高めることができる。また、高い水勢での洗浄水吐出による不用意な水跳ねをも抑制できる。
【００５２】
上記した課題の少なくとも一部を解決するため、本発明の第４の大便器は、
給水された洗浄水を、便器ボール部が貯め置く溜水に流し込み、前記溜水と共にサイホントラップから排出する大便器であって、
前記サイホントラップは、
前記便器ボール部側面に開口したトラップ開口を有し、該トラップ開口から斜め上方に向けた管路を形成する上昇管路部と、
該上昇管路部の上端に連結して湾曲し、前記溜水水位を規定する頂上堰を有する頂上管路部と、
該頂上管路部に連結して下降した下降管路部であって、前記溜水への前記給水洗浄水の流し込みにより前記上昇管路部と前記頂上管路部の前記頂上堰を越えて前記下降管路部に流れ落ちた洗浄水を受け止めて洗浄水の跳ね返りを起こす管路棚部と、該管路棚部で跳ね返った洗浄水を下流側に導く下流側管路部と、該下流側管路部の末端において管路面積を狭小させ洗浄水を便器外部の排水口に導く絞り部とを有する前記下降管路部とを備え、
前記下降管路部は、
前記上昇管路部から運ばれる洗浄水を前記排水口に排出するに当たり、前記頂上堰を越えて流れ落ちる洗浄水の前記管路棚部での受け止めと、前記流れ落ちる洗浄水の流れの向きを前記絞り部の側に転換する流れ向き変更と、前記流れ落ちる洗浄水の前記絞り部での貯め置きとを起こして、前記絞り部において上流側管路の洗浄水によるシールを起こすことと、前記頂上管路部に存在していたエアが前記上昇管路部を上昇してきた洗浄水に押されて前記頂上管路部以降の管路に流れ込むと、該流れ込んだエアを前記頂上管路部より下流で封止して前記頂上管路部側に戻らないようにすることによって、前記絞り部に貯め置かれた洗浄水が前記頂上堰まで達する水柱を形成して、前記便器ボール部の洗浄水を吸引するサイホン作用を発生させ該サイホン作用を継続可能な下降管路形状を有し、
前記頂上堰は、
前記管路棚部に向けて洗浄水が落ち込むよう洗浄水を案内する案内片を有し、該案内片が前記管路棚部以降の管路から上昇したエアのエア溜まりとなるよう、前記案内片を突出して有する、
ことを特徴とする。
【００５３】
この本発明の第４の大便器は、洗浄水が上昇管路部から頂上管路部の頂上堰を越えて下降管路部に流れ落ちようとする際に、この洗浄水により頂上管路部のエアが押されて頂上管路部以降の管路に流れ込んだことを想定した点で、上記の本発明の第３の大便器と相違する。つまり、小流量での洗浄水給水であっても、上昇管路面積や頂上管路面積の関係等から、頂上管路部のエアが押されて頂上管路部以降の管路に流れ込むことが有り得るので、その対処を次のようにして図った。
洗浄水により押し流されたエアは、その一部が、上記の第３の大便器と同様、絞り部に達した洗浄水に巻き込まれて絞り部から排水口に流れ出るものの、排出されなかったエアは管路を上昇する。こうしたエアの上昇が頂上管路部まで起きると、水柱の分断、即ちサイホン作用の消失を起こし得る。しかし、本発明では、このエアを頂上管路部より下流で封止して頂上管路部側に戻らないようにする。従って、この本発明の第４の大便器であっても、上記した第３の発明と同様の効果を奏することができる。
【００５４】
上記の構成を有する本発明の第３、第４の大便器にあっても、以下の種々の態様を採ることもできる。
即ち、前記下降管路部は、
約５０〜１００リットル／ｍｉｎの流量でなされた前記溜水への前記給水洗浄水の流し込みに対して、前記サイホン作用の発生と継続が可能な下降管路形状を有する。
【００５５】
こうすれば、従来の流量にほぼ近似した流量ではもちろんのこと、これより少ない流量であっても、サイホン作用による汚物・溜水・洗浄水の強制吸引を達成できる。
【００５６】
また、前記頂上管路部は、
前記下降管路部に繋がる管路部分が前記頂上堰を越えて前記下降管路部に落ち込む洗浄水の流れを境にエア残存領域として区画されるような管路形状を有する。
【００５７】
こうすれば、エア残存領域を定常な管路部分とできるので、前記下降管路部に落ち込む洗浄水の流れにより効率的に空気を巻き込んで外部へ排出でき、シール化と水柱形成、それによるサイホン発生、並びに便器ボール部の溜水と汚物の効果的な引き込み排出の上で、利点がある。
【００５８】
また、前記頂上管路部は、
前記上昇管路部の管路断面積より広い断面積で、前記上昇管路部と前記下降管路部とを連結する。
【００５９】
こうすれば、残存エアの封止領域を確実に確保できるので、前記下降管路部に落ち込む洗浄水の流れによる空気の巻き込み・排出をより効果的に行うことができるので、上記したようにシール化と水柱形成、それによるサイホン発生、並びに便器ボール部の溜水と汚物の効果的な引き込み排出の上で、利点がある。このように、頂上管路部を上昇管路部の管路断面積より広い断面積とすれば好ましいが、溜水への給水洗浄水の流し込みの際の流量や絞り部の面積絞り状況等によっては、頂上管路部を上昇管路部の管路断面積とほぼ同じかそれ以下の断面積としたりすることもできる。このようにすることで、下降管路部における洗浄水の貯め置きを効率的に行うことができる。
【００６０】
また、前記下降管路部は、
前記管路棚部から前記絞り部にかけて、管路断面の面積が前記上昇管路部の管路断面積と少なくとも同じ程度の面積となるまで減少徐変する下降管路形状を有する。
【００６１】
このように面積徐変を図る場合、前記下降管路部の前記管路断面を、便器左右方向において管路軸心側に絞られた断面形状とすることができる。
【００６２】
こうすれば、頂上堰を越えて下降管路部の管路棚部で跳ね返った洗浄水が早期に下降管路の一部を封止し、さらに絞り部で貯め置かれる状況をより確実に起こすことができるので、上記したエア封止・排出並びに水柱形成によるサイホン作用の発生・継続の信頼性を高めることができる。つまりは、サイホン作用により汚物等の強制吸引を確実なものとして、汚物排出性能を高めることができる。
【００６３】
そして、下降管路部の管路断面を、便器左右方向において管路軸心側に絞られた断面形状とすると共に、次のようにすれば、以下に説明する利点がある。
【００６４】
このような断面形状に加え、
前記下降管路部は、
前記下降管路を、前記頂上堰を越えて落ち込んだ洗浄水が前記便器ボール部の側に跳ね返って前記絞り部に導かれるようにして備え、
前記絞り部は、前記導かれた洗浄水を前記便器ボール部側で受け止める棚部を有し、該棚部で洗浄水を受け止めた後に該洗浄水を前記排水口に導くものとされている。
【００６５】
便器周囲では、例えば綿棒やマッチといった棒状物が使用されがちであり、これら棒状物が誤って便器に入り込み、洗浄水に混ざってトラップに流れ込むことがある。こうした棒状物は、洗浄水と共に下降管路部に達し、頂上堰を越えて落ち込んだ洗浄水と共に便器ボール部の側に跳ね返って絞り部に流れ落ち、その後は、絞り部の棚部で受け止められた後に排水口に到る。
【００６６】
下降管路部の管路断面は、便器左右方向において管路軸心側に絞られたものであるので、下降管路部を通過中の棒状物は、当該管路断面により通過の姿勢が整えられる。つまり、棒状物は、管路断面の長手方向（便器前後方向）に棒の長手方向をほぼ一致した姿勢、或いは管路断面の長手方向（便器前後方向）に対して棒の長手方向を洗浄水の流れ方向（落下方向）から交差するような姿勢でしか管路を流れ落ちない。このため、こうした姿勢で流れ落ちた棒状物は、便器ボール部の側への跳ね飛びの際に、絞り部の棚部の側に向かう洗浄水の流れ方向と棒の長手方向がほぼ一致するようにして、絞り部の棚部に向かう。この棚部でも棒状物の跳ね返りが起きるので、棚部以降では、棒状物は、洗浄水がその後に向かう排水口に向けた洗浄水の流れ方向に棒の長手方向をほぼ一致させる。こうなった棒状物は、排水口に向かって長手方向端部から当該排水口に入り込むことになる。よって、絞り部において棒状物を詰まらせてしまうような事態を有効に回避できる。
【００６７】
また、給水された洗浄水を便器ボール部が貯め置く溜水に流し込むために、上記したように第１、第２の洗浄水主流を発生させて溜水に旋回流を引き起こすようにしたり、こうした旋回流の引き起こしに有効な周壁形状を有する便器ボール部を備えるものとすることもできる。
【００６８】
こうすれば、上記した旋回流による押し込み効率の向上と、これに伴う上記の効果に加え、エア残存下でのサイホン作用発生とその継続を図ることによる上記の効果を奏することができる。
【００６９】
また、上記した課題の少なくとも一部を解決するため、本発明の第５の大便器は、
溜水を貯め置く便器ボール部と、前記便器ボール部を支えるための便器本体と、汚物排出に際してサイホン作用を発生させるサイホントラップ管路とを有し、該サイホントラップ管路を、前記便器ボール部の底部側面に開口したトラップ開口から斜め上方に向けた上昇管路部と、該上昇管路部の上端に連結して湾曲管路を形成し、前記溜水水位を規定する頂上堰を有する頂上管路部と、該頂上管路部に連結して下降した下降管路部とで形成した大便器であって、
前記頂上管路部の湾曲管路のうち、前記頂上堰と対向する管路壁面となる壁面部位であって前記上昇管路部の連結部から前記下降管路部との連結部までの所定範囲の前記壁面部位を、便器焼成前の素地の状態において、前記壁面部位を除いた残りの前記サイホントラップ管路と前記便器ボール部と前記便器本体との素地とは別体とし、
前記壁面部位の素地を、前記残りの前記サイホントラップ管路の素地に接合して前記サイホントラップ管路を塞ぎ、焼成したことを特徴とする。
【００７０】
上記構成を有する本発明の第５の大便器では、焼成前の素地の状態では、サイホントラップ管路の頂上管路部の湾曲管路では、頂上堰と対向する管路壁面となる所定範囲の壁面部位が、上昇管路部の連結部から下降管路部との連結部までの間に亘って存在しない状態である。よって、この壁面部位に当たる箇所がないものとして、上昇管路部の内壁や頂上堰を形成するための型を他の型にセットできることになる。このため、型の型面に密着堆積した側の素地面を、上昇管路部の内壁面や頂上堰壁面とできることから、これら部位を凹凸のない内壁を有するものとしたり、管路内に突出等した部分を有するような頂上堰とできる。そして、壁面部位の素地はサイホントラップ管路素地に接合されて当該管路は塞がれて連続したサイホントラップ管路となり、その後に焼成される。上記した頂上堰等の形成のための型は、他の型へのセットという制約を受けるものの、型形状については自由度が高まるので、サイホントラップ管路形状を多様化できる。
【００７１】
また、上記した課題の少なくとも一部を解決するための大便器を製造するに当たり、本発明の製造方法は、
溜水を貯め置く便器ボール部と、前記便器ボール部を支えるための便器本体と、汚物排出に際してサイホン作用を発生させるサイホントラップ管路とを有し、該サイホントラップ管路を、前記便器ボール部の底部側面に開口したトラップ開口から斜め上方に向けた上昇管路部と、該上昇管路部の上端に連結して湾曲管路を形成し、前記溜水水位を規定する頂上堰を有する頂上管路部と、該頂上管路部に連結して下降した下降管路部とで形成した大便器の製造方法であって、
前記頂上管路部の湾曲管路のうち、前記頂上堰と対向する管路壁面となる壁面部位であって前記上昇管路部の連結部から前記下降管路部との連結部までの所定範囲の前記壁面部位となる壁面部位素地を、型成形する工程（１）と、
前記壁面部位を除いた残りの前記サイホントラップ管路と前記便器ボール部と前記便器本体とが一体となった便器素地を、型成形する工程（２）と、
前記壁面部位素地を前記便器素地に接合して前記サイホントラップ管路を塞ぎ、前記サイホントラップ管路を前記上昇管路部と前記頂上管路部と前記下降管路部が連続したものとした状態で焼成を行う工程（３）とを有し、
前記工程（２）は、
前記便器ボール部の底部壁形状と前記便器本体の底部壁形状と前記記壁面部位を除いた残りの前記サイホントラップ管路のうち前記下降管路部の外郭壁形状とに適合した凹部形状を有する底型と、
前記便器本体の側面壁形状に適合した凹部形状を有する側型と、
前記便器ボール部の内周壁形状に適合した凸部形状を有するボール中型と、
前記サイホントラップ管路の前記上昇管路部の管路内壁形状と前記頂上管路部の前記頂上堰形状に適合した外郭形状を有し、前記ボール中型に組み込み可能な割型であって、前記ボール中型に組み込まれると前記ボール中型の前記凸部形状のうち前記便器ボール部の底部内壁に適合した部分に接合して、該接合箇所を前記トラップ開口の開口箇所とする前記割型とを準備する工程と、
該準備した各型を型合わせして、各型の前記凹部形状と凸部形状で、前記壁面部位を除いた残りの前記サイホントラップ管路と前記便器ボール部と前記便器本体とが一体となった前記便器素地の形成のためのキャビティを形成する工程と、
前記キャビティへの泥漿の流し込み、前記各型への泥漿堆積、排泥、乾燥、型抜きを経て、前記便器素地を取得する工程とを有する
ことを特徴とする。
【００７２】
上記構成を有する本発明の大便器製造方法によれば、頂上管路部の湾曲管路のうち、頂上堰と対向する管路壁面となる壁面部位を、その素地の状態で、他の便器部位とは別体のものとする。従って、便器素地形成に際しては、この壁面部位に当たる箇所がないものとして、上昇管路部の内壁や頂上堰を形成するための割型を、ボール中型に組み込むことができ、この割型の型面に密着堆積した側の素地面を、上昇管路部の内壁面や頂上堰壁面とできる。このため、上記したように、この割型の型形状については自由度が高まるので、サイホントラップ管路形状が多様化した大便器を容易に製造できる。この場合、割型とボール中型との接合箇所をトラップ開口の開口箇所とするので、トラップ開口を高い寸法精度で形成することができる。
【００７３】
上記の構成を有する本発明の大便器とその製造方法は、以下の種々の態様を採ることもできる。
即ち、サイホントラップ管路の末端に位置して便器外部の排水口に連結される末端管路部を、その素地の状態で、大便器と別体とし、この末端管路部の素地を、素地状態のサイホントラップ管路の末端に接合して焼成することにする。そして、この末端管路部を、その素地形成に際して、排水口と便器後端との間の距離が相違する場合に対応できるよう複数用意された形状のもので素地形成しておき、そのうちからこの距離に適合して選択したものとし、この素地の接合位置を上記の距離に応じて調整する。こうすれば、サイホントラップ管路を有する便器本体の型は共通にしたまま、末端管路部の製造に必要な型を準備すればよいので、型製造やその管理コストの低減を図ることができる。しかも、末端管路部の素地の接合、その後の焼成を経て得られた便器は、排水口仕様の一つである上記距離、即ち便器壁から排水口センターまでのラフィンへの適合を、陶器製便器自体で図ることができる。
【００７４】
この場合、末端管路部を、排水口に対向し、この排水口周りに配設された環状シール部材を押圧して排水口周りをシールし、排水口に排水するものすることができる。こうすれば、排水口への排水に際して、排水の漏れを末端管路部自体で回避でき、この際には、屈曲等したソケット等を必要としないので簡便である。
【００７５】
また、末端管路部を、排水口に対向し、排水口と末端管路部との間に介在する排水コネクタを介して排水口に繋がるものとすることができる。こうすれば、排水口への排水に際して、排水の漏れを、排水コネクタを介して回避できる。そして、この排水ソケットは、対向関係にある末端管路部と排水口を接続すればよいので、直管状とすれば足り、形状が単純なために取扱も容易である。
【００７６】
また、末端管路部が排水口に挿入配設可能となるようにすることもでき、こうすれば、末端管路部を含む便器全体が陶器製でありながら、この大便器を末端管路部が排水口に挿入させて設置できる。よって、ソケット等の事前設置や、ソケット製造のための工程・設備管理が不要となり、コスト的に有利である。また、末端管路部が排水口に挿入配設可能であることから、この末端管路部を有するサイホントラップ管路を陶器のまま排水口仕様に適合できる。
【００７７】
上記したように、末端管路部を単独で形成できることから、その素地を凸型と凹型で型形成しその外径形状を凹型で規定し内径形状を凸型で規定できるようになる。よって、末端管路部を、内外壁形状を異形形状、例えば、外壁は円筒形でありながら内壁を楕円形状といったようにすることができる。
【００７８】
また、本発明の第５の大便器は、
溜水を貯め置く便器ボール部と、前記便器ボール部を支えるための便器本体と、汚物排出に際してサイホン作用を発生させるサイホントラップ管路とを有する大便器であって、
前記サイホントラップ管路の末端に位置し、便器外部の排水口に連結される末端管路部であって、該末端管路部を介して前記下降管路部を前記排水口に繋げるための前記末端管路部を有し、
前記末端管路部を、便器焼成前の素地の状態において、前記サイホントラップ管路と前記便器ボール部と前記便器本体との素地とは別体とし、
前記末端管路部の素地を、素地状態の前記サイホントラップ管路の末端に接合して、焼成したことを特徴とする。
【００７９】
こうすれば、上昇管路部の内壁や頂上堰に形状的な特徴を必要としない大便器にあっても、末端管路部を素地状態で別に用意したことで、陶器製便器自体での排水口適合といった上記と同様の効果を奏することができる。
【００８０】
【発明の実施の形態】
次に、本発明に係る大便器の実施の形態を実施例に基づき説明する。図１は実施例の大便器１０をその上面を破断して説明するための説明図、図２は図１の大便器１０を前後方向の中央線に沿って左方に断面視して示す説明図、図３は同じく右方に断面視して示す説明図、図４は図２に示すリムの中央部付近を一部破断して説明するための説明図である。この第１実施例の大便器１０は、後述するようにサイホントラップ管路の個々の部位の管路形状に特徴があり、少流量での洗浄水給水によってもサイホン作用の発生・継続を図れるようにした。まず、便器全体構成について説明する。
【００８１】
これら図面に示すように、大便器１０は、便器ボール部１２を備え、その上縁をリム１４とする。リム１４は、便器ボール部１２を取り囲むよう形成されており、その内部に中空のリム導水路１６を有する。リム導水路１６は、便器後方側にて洗浄水給水路１８と繋がっている。
【００８２】
便器ボール部１２の後方側は、後述する洗浄水給水装置を収納する機器収納部１１とされており、洗浄水給水路１８は、この機器収納部１１に収納された洗浄水給水装置から、連結孔１９を介して洗浄水の給水を受ける。洗浄水給水路１８に給水された洗浄水は、図１に示すように、リム導水路１６に左右方向から入り込み、便器ボール部１２の上縁周りに導かれる。
【００８３】
便器ボール部１２は、そのボール底部１３においてサイホントラップ２０と連結されている。サイホントラップ２０は、ボール底部１３に臨んで開口したトラップ入口２２と、このトラップ入口２２から便器後方側に斜め上方に向けた管路を形成する上昇管路部２４と、上昇管路部２４の上端に連結して下方に向けて湾曲した頂上管路部２６と、頂上管路部２６に連結して下降する下降管路部２８とを有する。頂上管路部２６は、上昇管路部２４との連結部に、下降管路部２８の側に屈曲した頂上堰３０を備え、この頂上堰３０で便器ボール部１２が貯め置く溜水ＲＳの水位を規定する。このサイホントラップ２０の管路形状については、後述する。
【００８４】
リム１４は、そのリム導水路１６に、図１に示す便器左側に、基部第１吐水孔４１、基部第２吐水孔４２、左方中央部吐水孔４３とを備えるほか、この左方中央部吐水孔４３とリム前端側吐水孔４４との間には多孔の第１矯正用吐水孔４５を、左方中央部吐水孔４３と基部第２吐水孔４２との間には多孔の補助吐水孔４６を有する。また、リム１４は、便器右側に、右中央部吐水孔４７を備え、この右中央部吐水孔４７とリム前端側吐水孔４４との間には、多孔の第２矯正用吐水孔４８、第３矯正用吐水孔４９を、右中央部吐水孔４７と洗浄水給水路１８の連結部との間には、多孔の第４矯正用吐水孔５０と補助吐水孔５１を有する。
【００８５】
基部第１吐水孔４１と基部第２吐水孔４２は、リム導水路１６の底部側に形成され、図示するように長孔形状（本実施例では、幅×長さが基部第１吐水孔４１で１２×４３ｍｍ、基部第２吐水孔４２で１３×３５ｍｍ）とされている。補助吐水孔４６や第１矯正用吐水孔４５、リム前端側吐水孔４４、第２矯正用吐水孔４８、第３矯正用吐水孔４９、右中央部吐水孔４７、第４矯正用吐水孔５０および補助吐水孔５１は、それぞれ略円形の孔形状でリム導水路１６の底部側に形成されている。この場合、上記吐水孔の孔径は、本実施例では、補助吐水孔４６と補助吐水孔５１が約４ｍｍ、第１矯正用吐水孔４５が約１３ｍｍ、リム前端側吐水孔４４と第２矯正用吐水孔４８が約１０ｍｍ、第３矯正用吐水孔４９と第４矯正用吐水孔５０が約５ｍｍ、右中央部吐水孔４７が約１６ｍｍとされている。
【００８６】
リム導水路１６に流れ込んだ洗浄水は、洗浄水給水装置で与えられた流量に依存する速度（流速）で、リム導水路１６を導水路経路に沿って通過し、各吐水孔に到達した時点では、リム導水路周りの吐水孔位置に応じた方向性を持っている。よって、上記の各吐水孔は、図１に模式的に示すように、洗浄水が有する方向性を反映させながら、洗浄水を便器ボール部１２の表面に沿ってボール底部１３の側に吐出する。
【００８７】
リム導水路１６における便器左右の略中央部には、導水路底部から隆起した左方隆起部５２と右方隆起部５３が形成されている。この両隆起部は、リム導水路１６を、洗浄水の流れ方向に対して上流側を導水路断面積が広い拡張導水路１６ａと、下流側を導水路断面積が狭い狭小導水路１６ｂに区別する。従って、拡張導水路１６ａでは通水洗浄水量が大きくなり、狭小導水路１６ｂでは、左右の隆起部で整流を受けた洗浄水が流れることになる。
【００８８】
基部第１吐水孔４１等の上記各吐水孔からの洗浄水吐出がなされる際、基部第１吐水孔４１と基部第２吐水孔４２は、その孔形状が長孔形状であると共に、拡張導水路１６ａでの吐水孔であること、洗浄水給水路１８に近接していることから、他の吐水孔に比して大流量での洗浄水吐出を行う。また、第１矯正用吐水孔４５や、右中央部吐水孔４７、リム前端側吐水孔４４および第２矯正用吐水孔４８は、狭小導水路１６ｂでの整流により、吐出洗浄水の方向性が安定した状態で洗浄水を吐出し、その際の吐出量は孔径に依存する。
【００８９】
左方中央部吐水孔４３は、図４に示すように、左方隆起部５２に約１６ｍｍの孔径で形成されており、その開口方向は、拡張導水路１６ａの洗浄水通水方向と一致する。よって、この左方中央部吐水孔４３から吐出された洗浄水は、この左方中央部吐水孔４３から真っ直ぐに進んでリム１４下端の便器ボール部１２の上縁周壁５５に案内され、その吐出軌跡は、図２及び図３中の吐出軌跡ＴＳで示すようなものとなる。この場合、リム１４は、狭小導水路１６ｂの便器ボール部１２の側に、左方隆起部５２から便器前方側にかけて垂下板部５６を有し、左方中央部吐水孔４３の前方領域を、垂下板部５６と狭小導水路１６ｂの底面部５７および上縁周壁５５で取り囲む。よって、左方中央部吐水孔４３は、高い方向性と収束性を持って洗浄水を上記の吐出軌跡ＴＳで吐出する。
【００９０】
次に、上記した基部第１吐水孔４１等から洗浄水吐出を行った場合の洗浄水挙動について説明する。図５は基部第１吐水孔４１と基部第２吐水孔４２とから吐出された洗浄水の挙動を説明する説明図、図６は左方中央部吐水孔４３と第１矯正用吐水孔４５、リム前端側吐水孔４４、第２矯正用吐水孔４８および右中央部吐水孔４７からの洗浄水吐出を説明する説明図であり、図６（ａ）は各吐水孔から単独で洗浄水吐出を行ったと仮定した場合の洗浄水の挙動を説明する説明図、図６（ｂ）は各吐水孔からの洗浄水吐出により起きる洗浄水の挙動を説明する説明図である。図７は総ての吐水孔からの洗浄水吐出により起きる洗浄水の挙動を模式的に説明する説明図、図８はこの洗浄水挙動を起こす各主流が溜水ＲＳに個別に合流することを仮想した際の様子を模式的に説明する説明図、図９は両主流が同時に溜水ＲＳに合流した際の溜水における旋回の挙動を模式的に説明する説明図である。
【００９１】
基部第１吐水孔４１と基部第２吐水孔４２は、図１および図５に示すように、その形成位置が便器後方側であり拡張導水路１６ａの底部に開口している。よって、この両吐水孔は、洗浄水を、便器前方側に向けて溜水ＲＳに対して斜め上方から吐出する。この場合、両吐水孔は、それぞれ長孔形状とされているので、洗浄水を幅広く、また、長孔形状より拡がるように吐出する。そして、この両吐水孔は、隣接形成されていることから、吐出後の洗浄水の流れを合流させるので、こうした合流により正確な方向性と強い水勢を持った流れの主流（第１主流Ｓ１）を形成し、この第１主流Ｓ１を溜水ＲＳに合流させる。この第１主流Ｓ１は、上記の吐水孔位置、洗浄水吐出方向から、溜水ＲＳに対して、図示するように平面視で、便器左奥から斜め右前方に向けて合流する。また、この第１主流Ｓ１は、両吐水孔からの洗浄水流の合流によるものであることから、安定した軌跡を採って溜水ＲＳに合流する。上記両吐水孔から吐出されて第１主流Ｓ１の形成に関与しない洗浄水は、第１主流Ｓ１両側の流れとして溜水ＲＳに合流し、第１主流Ｓ１が到らない便器ボール部１２の表面を洗い流す。補助吐水孔４６からの吐出洗浄水についても同様である。
【００９２】
左方中央部吐水孔４３は、リム導水路１６に導かれた洗浄水を、基部第１吐水孔４１と基部第２吐水孔４２と同じ側（詳しくは、便器左方側）から吐出する。こうして吐出された洗浄水は、図６（ａ）に示すように、上縁周壁５５（図４参照）に沿って周回するような既述した吐出軌跡ＴＳで流れる。ところが、この左方中央部吐水孔４３からの洗浄水吐出と共に、第１矯正用吐水孔４５やリム前端側吐水孔４４、第２矯正用吐水孔４８および右中央部吐水孔４７からの洗浄水吐出も起きている。これら各吐水孔からの洗浄水吐出は、左方中央部吐水孔４３からの吐出洗浄水の吐出軌跡ＴＳにそれぞれ交差するものとなる。よって、吐出軌跡ＴＳの洗浄水の流れには、便器前方側において、第１矯正用吐水孔４５からの吐出洗浄水、リム前端側吐水孔４４からの吐出洗浄水、第２矯正用吐水孔４８からの吐出洗浄水および第３矯正用吐水孔４９からの吐出洗浄水が順次合流する。また、左方中央部吐水孔４３の反対側である便器右方側では、吐出軌跡ＴＳの洗浄水の流れに、右中央部吐水孔４７からの吐出洗浄水と第４矯正用吐水孔５０からの吐出洗浄水が合流する。
【００９３】
こうした洗浄水の合流は、吐出軌跡ＴＳの洗浄水の流れを合流を経て矯正すると共に、吐出軌跡ＴＳの洗浄水の流れを合流により正確な方向性と強い水勢を持った流れの主流（第２主流Ｓ２）とし、この第２主流Ｓ２を溜水ＲＳに合流させる。この第２主流Ｓ２は、上縁周壁５５周りの吐出軌跡ＴＳの洗浄水の流れを便器前方側、便器右方側での合流・矯正したものであることから、溜水ＲＳに対して、図６（ｂ）に示すように平面視で、便器右前方から斜め左後方に向けて合流する。この第２主流Ｓ２にあっては、第１矯正用吐水孔４５等の複数の吐水孔からの吐出洗浄水の合流・矯正を経たものであることから、安定した軌跡を採って溜水ＲＳに合流し、溜水合流に際しては、図６（ｂ）や図７に示すように、第１主流Ｓ１と便器水平面視において溜水ＲＳを挟んで略平行な関係を採り、両主流の合流によって溜水ＲＳに同一回転方向の旋回流が発生する。なお、補助吐水孔５１や当該吐水孔側の第４矯正用吐水孔５０にあっては、第２主流Ｓ２が到らない便器ボール部１２の表面（便器後方側表面）を洗い流す。
【００９４】
このように第１主流Ｓ１と第２主流Ｓ２が溜水ＲＳに対して便器水平面視において略平行で、溜水ＲＳに同一回転方向の旋回流を起こすよう関係を有していることから、本実施例の大便器１０では、それぞれの主流が溜水ＲＳに旋回流を起こす際、お互いの主流が旋回流の旋回方向の乱れを及ぼし合うことがない。このため、旋回流を乱すことなくその旋回を促進し合うので、吐出洗浄水のエネルギ（水勢）を旋回流生成に無駄なく用いることができ、これを通して、旋回流による溜水の押し込み効率を高めることができる。なお、こうした効果については後述する。
【００９５】
次に、こうした主流の合流を引き起こすためのボール部内壁構造について説明する。図１０は大便器１０を第２主流Ｓ２の溜水合流付近である図１の１０−１０線で断面視して示す説明図である。この図１０や図１ないし図３に示すように、本実施例の大便器１０では、便器ボール部１２の便器前方側内壁を、リム１４下方の上縁周壁５５と、これに続く傾斜の緩い傾斜部６０と、大きく傾斜した傾斜部６１と傾斜を抑えた下端棚部６２とし、この下端棚部６２を溜水ＲＳ中の水面近傍に位置するようにした。この下端棚部６２は、第１主流Ｓ１を受け止めて旋回の案内をすると共に、溜水ＲＳにこの第１主流Ｓ１が合流して起きる洗浄水の旋回状況を、図８に示すように、溜水ＲＳの深さ方向の旋回のリードＳ１Ｌが小さくなるようにする。
【００９６】
また、便器ボール部１２の便器後方側内壁は、リム１４下方からほぼ一律に大きな傾斜で傾斜した後方傾斜部６３とされている。この後方傾斜部６３は、溜水ＲＳ水面下方のボール底部１３のトラップ入口２２まで達するようにされている。また、便器ボール部１２の便器側面側内壁は、図１０に示すように、リム１４下方の上縁周壁５５に続く傾斜の緩い左右の傾斜部６４Ｒ、６４Ｌと、大きく傾斜した左右の傾斜部６５Ｒ、６５Ｌとされている。傾斜部６４Ｒ、６４Ｌは、便器前方側の傾斜部６０と繋がって、既述した第２主流Ｓ２の流れ矯正の際の洗浄水受け面となり、便器後方側の後方傾斜部６３と繋がっている。この傾斜部６４Ｌは、第１主流Ｓ１を溜水ＲＳ近くまで案内するものの、第１主流Ｓ１は斜め後方から前方に流れるので、第１主流Ｓ１の溜水合流とその後の旋回付与のための案内は、既述したように下端棚部６２でなされる。
【００９７】
傾斜部６５Ｒ、６５Ｌは、便器前方側で傾斜部６１と、便器後方側で後方傾斜部６３と繋がっている。傾斜部６５Ｒとこれに続く後方傾斜部６３は、上記のように矯正された第２主流Ｓ２を受け止めて溜水ＲＳに合流案内すると共に、合流後の第２主流Ｓ２が溜水ＲＳに合流して起きる洗浄水の旋回状況を規定する。この場合、傾斜部６５Ｒと後方傾斜部６３は、共に傾斜が大きくされており、その傾斜の様子は、溜水ＲＳへの洗浄水流入によって起きる図１０中の溜水水位上昇ΔＨと溜水面広さの拡張ΔＳとの比較において、溜水水位上昇ΔＨに対して水面拡張ΔＳが約１／５〜２／５程度とされ、水位上昇における溜水面広さの拡張割合が元の広さに対して約４０％以内となっている。つまり、第２主流Ｓ２は、こうした大きな傾斜を持って溜水ＲＳに合流して溜水合流後にあってもこれら傾斜部で旋回案内される。このため、溜水ＲＳにこの第２主流Ｓ２が合流して起きる洗浄水の旋回状況は、図８に示すように、溜水ＲＳの深さ方向の旋回のリードＳ２Ｌが大きくなるようなものとなる。なお、傾斜部６５Ｒと後方傾斜部６３および傾斜部６５Ｌは、湾曲面であるためにその傾斜程度を上記した溜水水位上昇ΔＨと溜水面広さの拡張ΔＳとの比較で説明したが、これらをその鉛直方向の断面形状において、溜水水面と周壁面部の断面周壁面とがなす角度を、約５〜２５°となるよう急角度なものにすることもできる。こうすれば、上記の各傾斜部で案内した第２主流Ｓ２を、大きなリードＳ２Ｌの旋回流とできる。
【００９８】
ところで、上記の各主流合流後に起きる旋回流は独立に起きているわけではなく、同時進行的に溜水において発生する。よって、次のような挙動を採ると推考される。
【００９９】
このように旋回リードの大きくなるよう第２主流Ｓ２が溜水ＲＳに引き起こした旋回流は、旋回に基づく溜水ＲＳの押し込みをボール底部１３の側、即ちトラップ入口２２に向かうものとする。しかも、この押し込みを、図９に示すように、第１主流Ｓ１が起こす旋回リードの小さい旋回流にも及ぼすので、第１主流Ｓ１の旋回流に乗って旋回する汚物および旋回洗浄水自体をトラップ入口２２に向かうよう押し込む。このため、溜水ＲＳや汚物の押し込み性能をより高めることができる。なお、このような押し込みを及ぼした場合であっても、旋回流の旋回方向の乱れは生じない。
【０１００】
加えて、便器ボール部１２は、ボール底部１３をすり鉢状にしていることから、トラップ入口２２へと向かう上記の両旋回流の旋回半径は徐々に小さくなり、旋回流の勢いは増大していく。このため上記した旋回流による押し込みの性能はさらに向上することになる。なお、こうすることで得られる効果については、後述する。
【０１０１】
上記した第１主流Ｓ１と第２主流Ｓ２に基づく溜水旋回が起きると、便器ボール部１２内の洗浄水と汚物は、トラップ入口２２からサイホントラップ２０に入り込み（押し込まれ）、次のようにしてサイホントラップ２０から排出される。ここで、汚物排出の様子の説明に先立ち、サイホントラップ２０の詳細な構成について説明する。図１１はサイホントラップ２０の管路構成を説明するために管路を図３の１１−１１線に沿って断面視した説明図、図１２は下降管路部２８を図３および図１１の１２−１２線に沿って断面視した説明図、図１３は下降管路部２８を図３および図１１の１３−１３線に沿って断面視した説明図、図１４は下降管路部２８を図３および図１１の１４−１４線に沿って断面視した説明図である。
【０１０２】
頂上管路部２６は、上昇管路部２４に連続して便器後方に延び、頂上堰３０から洗浄水を下降管路部２８に流し落とす。本実施例では、この頂上管路部２６は、その管路断面積が上昇管路部２４より広くなるようにし、後述するように、頂上管路部２６の内壁最上位部７０にエア封止を図ることができるようにされている。
【０１０３】
頂上管路部２６は、頂上堰３０に加え、この頂上堰３０から下降管路部２８の側に斜め下方に向けて突出した舌部７１を有する。頂上堰３０は、上昇管路部２４から下降管路部２８に到る管路の折り返し点となって既述したように溜水水位を規定するのに対し、この舌部７１は、管路内側に斜め下方に向けて突出するという形状的な特徴により、頂上堰３０を洗浄水が乗り越えて下降管路部２８に流れ落ちる際の案内となる。よって、頂上堰３０に達した洗浄水は、舌部７１での案内を受けて下降管路部２８に流れ落ちるので、下降管路部２８が有する後述の上部管路棚部７５や下部管路棚部７７に確実に到達して、これら棚部での受け止め・跳ね返りを起こして下流に流れ落ちる。舌部７１は、図示するように斜め下方に湾曲して突出していることから、その下面領域は洗浄水排出時におけるエア溜まりとなる。
【０１０４】
下降管路部２８は、頂上管路部２６の側から、湾曲管路部７２と中間管路部７３と末端管路部７４とを備える。下降管路部２８は、図１１ないし図１４に示すように、この湾曲管路部７２と中間管路部７３を、末端管路部７４にかけて管路断面の面積が減少徐変するようにして備える。つまり、湾曲管路部７２と中間管路部７３は、これら管路部を通過する洗浄水の通過方向に沿ってその断面積が減少徐変するようにされており、その徐変の様子は、図１２、図１３に示すように、便器左右方向において管路軸心側に絞られたものとされている。
【０１０５】
湾曲管路部７２は、中間管路部７３の連結部に上部管路棚部７５を備える。上部管路棚部７５は、舌部７１に案内されて頂上堰３０から流れ落ちた洗浄水を受け止めて洗浄水の跳ね返りを起こし、洗浄水を下流の中間管路部７３に落とし込む。
【０１０６】
中間管路部７３は、末端管路部７４の連結部に下部管路棚部７７を備える。この下部管路棚部７７は、舌部７１からの流れ落ち洗浄水、並びに上部管路棚部７５から中間管路部７３の外周壁部７６を伝わり落ちた洗浄水を受け止めて、これら洗浄水の跳ね返りを起こし、洗浄水を下流の末端管路部７４に落とし込む。
【０１０７】
末端管路部７４は、図１４に示すように円筒形の外壁形状をなし、その内部を断面楕円形の管路部７９とする。そして、この末端管路部７４は、図示しない排水コネクターを介して図示しない排水口にいわゆるスリップインされて、下降管路部２８とこの排水口を連結する。末端管路部７４は、管路部７９の下端に、最下端棚部８０を残して開口された貫通孔７８を備え、この貫通孔７８を開口面積の狭い絞りとして機能させる。最下端棚部８０は、上記の上部管路棚部７５と下部管路棚部７７で便器ボール部１２の側に跳ね返った洗浄水を受け止めて洗浄水の跳ね返りを起こし、洗浄水を貫通孔７８から排水口に導く。
【０１０８】
上記したように、下降管路部２８は、上部管路棚部７５と下部管路棚部７７を有するので、頂上堰３０を乗り越えて下降管路部２８に流れ落ちる洗浄水の流量が少ないときは、下部管路棚部７７での洗浄水の受け止めと跳ね返りを起こし、流れ落ちる流量が多ければ、上部管路棚部７５と下部管路棚部７７の両者で洗浄水の受け止めと跳ね返りを起こす。このため、落ち込み洗浄水流量の多少に拘わらず、末端管路部７４の最下端棚部８０で洗浄水の受け止めと跳ね返りを起こした後に、洗浄水を排水口に排出する。この場合、中間管路部７３の外周壁部７６と頂上堰３０の舌部７１との位置関係は、洗浄水給水装置からの給水流量（吐出量）が本実施例で想定している最低流量（約４０リットル／ｍｉｎ）であっても、頂上堰３０からの流れ落ち洗浄水が確実に下部管路棚部７７で跳ね返るようなものとされている。また、中間管路部７３の管路面積や末端管路部７４における７８の開口面積等は、洗浄水給水装置からの給水流量が上記の最低流量であっても、後述するように洗浄水の貯め置きが起きるものとされている。
【０１０９】
こうした構成を有する下降管路部２８による汚物排出の様子を、下降管路部２８における洗浄水の挙動で説明する。図１５は洗浄開始初期における洗浄水の挙動を説明するための説明図、図１６は洗浄水が末端管路部７４で貯め置かれる様子を説明する説明図、図１７はサイホン作用の発生の状況を説明する説明図である。
【０１１０】
図示しない洗浄ボタンや洗浄レバーが操作されて便器洗浄が開始されると、洗浄水給水装置からリム導水路１６に洗浄水が流れ込み、既述したように第１主流Ｓ１、第２主流Ｓ２で洗浄水が溜水ＲＳに流れ込む。そうすると、図１５に示すように、上昇管路部２４に入り込んでいた洗浄水は、溜水ＲＳに流れ込んだ洗浄水に押し込まれるので、上昇管路部２４での水位が上がる。こうした洗浄水の押し込みは、既述した第１主流Ｓ１と第２主流Ｓ２の溜水ＲＳへの略平行かつ同一回転方向への合流に基づく旋回流により起きる。
【０１１１】
こうして押し込まれた洗浄水は、上昇管路部２４から頂上管路部２６の頂上堰３０を越えて下降管路部２８に流れ落ちる。この洗浄水は、図１６に示すように、下降管路部２８の上部管路棚部７５や下部管路棚部７７で受け止められて跳ね返る。こうして跳ね返った洗浄水は、洗浄水の流れの向きを下流の末端管路部７４の側に転換して更に下流側に流れ落ち、その際に、下降管路部内のエアの巻き込みを伴う管路流下と、流れ方向の転換に伴う洗浄水の流下速度の低下を来して、下流の末端管路部７４に達する。こうした洗浄水挙動により、上部管路棚部７５下流では、その下流管路の洗浄水による封止が次のようにして始まる。
【０１１２】
末端管路部７４は、最下端棚部８０を備えるので、この最下端棚部８０で洗浄水を更に跳ね返した後に、貫通孔７８から洗浄水を排出する。この場合、図１４に示すように、貫通孔７８は、その開口面積が狭くされていることから、末端管路部７４は、一部の洗浄水を貫通孔７８から排出するものの、洗浄水を管路部７９に貯め置く。
【０１１３】
本実施例では、上記の最低流量での洗浄水給水を起こしている状況下であっても、洗浄水貯め置きに際して上記した棚部での跳ね返りに基づく流下速度の低下を起こしていることから、頂上堰３０を越えて下降管路部２８に流れ落ちる洗浄水の流量は、末端管路部７４を経て排出口に流れ出る洗浄水流量に勝る。よって、洗浄開始当初において、末端管路部７４での洗浄水の貯め置きと排水口への排出を並行して起こすことができる。そして、末端管路部７４での洗浄水の貯め置き水量は、下降管路部２８への洗浄水の流れ落ちが継続されるに連れて増加する。この洗浄水の落ち込み継続の間においては、頂上堰３０を乗り越えて下降管路部２８に流れ落ちる洗浄水の流れが、図１６に示すように、頂上堰３０の舌部７１先端から上部管路棚部７５或いは下部管路棚部７７に亘るウォーターカーテンのような働きを為す。
【０１１４】
こうした末端管路部７４での洗浄水の貯め置きと排出が起きている洗浄開始当初の状況では、上部管路棚部７５より下流に残留していたエアは、上記した棚部跳ね返りの洗浄水に巻き込まれて末端管路部７４から排出される。そして、上記した末端管路部７４での洗浄水貯め置きが継続するので、図１７に示すように、中間管路部７３並びに末端管路部７４は洗浄水で満たされてシールされる。これにより、その後の洗浄水の流れ落ちの継続により、末端管路部７４から頂上堰３０までに達する水柱が形成されると共に、この洗浄水水柱により貫通孔７８外部からのエアの進入が防止される。この水柱形成後であっても、引き続き頂上堰３０から下降管路部２８への洗浄水の流れ落ちは継続されて、末端管路部７４での洗浄水の貯め置き水量が増加することから、下降管路部２８における上記形成済みの水柱が貫通孔７８へ落下する際の水頭により洗浄水通水が起きるので、トラップ内では減圧現象が起きる。しかも、上昇管路部２４を通過して頂上堰３０を乗り越え下降管路部２８に流れ込もうとする洗浄水の流れ込みは、この減圧現象の間も継続されることから、上昇管路部２４の側からのエアの吸込も起こさない。よって、便器ボール部１２の溜水水面と末端管路部７４の高さの相違によって、便器ボール部１２の洗浄水を吸引するいわゆるサイホン作用が発生し、エア吸込によるサイホン消滅が起きるまで、このサイホン作用は継続される。このため、便器ボール部１２の汚物は溜水並びに給水洗浄水と共に強制的にサイホントラップ２０に吸引されて排出される。
【０１１５】
ところで、当初から頂上管路部２６の内壁最上位部７０に残存したエアは、この内壁最上位部７０に封止されたままであり、上記した洗浄水による巻き込みによっては下降管路部２８から排出されなかったエアは、下降管路部２８では既に水柱形成済みであることから、この水柱を上昇して内壁最上位部７０に封止される。また、舌部７１の下面でも、エアの溜まりが起きることがある。しかし、末端管路部７４では洗浄水の貯め置きと排出が起きてシール状態であるので、貫通孔７８からのエア浸入を起こさない。また、便器ボール部１２の側でもエア吸込がないので、上記形成された水柱は、封止エアおよび浸入エアにより断ち切られることがないので、上記のように発生したサイホン作用を継続させる。このため、サイホン作用により便器ボール部１２の汚物は溜水ＲＳと共に強制的にサイホントラップ２０に吸引されて排出される。つまり、この大便器１０では、大流量の洗浄水給水により一気にエアを排出して管路の満水化を図る既存便器とは異なる状況、即ち、頂上管路部２６の内壁最上位部７０でのエア残存や舌部７１の下面のエア溜まりを起こした状況であっても、少流量での洗浄水給水によりサイホン作用の発生・継続を起こす特徴がある。そして、こうしたサイホン作用の発生・継続を図るため、サイホントラップ２０の上昇管路部２４、頂上管路部２６、下降管路部２８および末端管路部７４において、既述した特異な形状を採った。
【０１１６】
こうしてサイホン作用が発生して継続すると、頂上管路部２６の内壁最上位部７０に封止されていた残存エアは、吸引される洗浄水に巻き込まれて当該洗浄水と共に継続して排出されると予想される。
【０１１７】
ところで、本実施例では、下降管路部２８を、図１１ないし図１４に示すように、下降側に行くほど管路面積が狭くなるようにした。従って、頂上堰３０を越えて下降管路部２８に落ち込んだ洗浄水の末端管路部７４での貯め置きが促進されるので、洗浄水の貯め置き状況をより確実に起こすことができる。このため、上記したエア排出・封止によるサイホン作用の発生・継続の信頼性を高めることができる。つまりは、サイホン作用により汚物等の強制吸引を確実なものとして、汚物排出性能を高めることができる。
【０１１８】
本実施例では、旋回のリードが相違する第１主流Ｓ１と第２主流Ｓ２とで旋回を起こしているので、旋回による押し込み効率は、後述の効果対比でも判るように、高まっている。よって、上記のようにエア残存状況下でサイホン作用の発生・継続を起こす様子は、Ｕ字管をサイホントラップ２０の適宜箇所、例えば内壁最上位部７０の近辺に接続し、便器洗浄開始からのＵ時間字管の液位推移を観察することで確認できる。図１８はエア残存状況下でサイホン作用の発生・継続を起こす様子を確認するためのＵ字管の設置状況を示す説明図、図１９はＵ字管の液位推移を表したグラフである。
【０１１９】
図示するように、Ｕ字管９０の液位は、サイホン発生当初に正圧側に推移し、その後は、負圧となった。このことは、次のように考えることができる。つまり、本実施例では、洗浄初期の少量の洗浄水により下降管路部の一部を封止するので、洗浄開始当初に旋回による押し込みにより洗浄水がサイホントラップに押し込まれると、残存エアが圧縮を受けて管路内の圧力が高まったと説明できる。こうした正圧発生後に負圧が観察されたのは、サイホン発生により管路内洗浄水の強制吸引が起きたためと説明できる。よって、こうしたＵ字管の液位推移を起こす便器であれば、エア残存状況下での強い押し込み力による洗浄水押し込みと、その後のサイホン作用の発生並びに継続を起こすものであると考えられる。
【０１２０】
なお、便器洗浄に用いる洗浄水流量を節水便器としての実効性の高い総流量（約６リットル）とした場合、単純に溜水旋回を起こすに過ぎない既存便器では、上記した正圧・負圧の推移状況は発現せず、洗浄開始当初から一貫して負圧現象が起きただけであった。
【０１２１】
次に、本実施例における汚物排出効果について説明する。まず、洗浄水給水装置について説明する。本発明は、洗浄水給水についての構造的な制約を受けるものではないので、以下の説明では、ジェットポンプを利用した給水装置について説明するが、洗浄水タンクの貯め置く洗浄水の水頭圧にて給水を図るものについても当然に適用できる。図２０は大便器１０に洗浄水給水装置１００を組み込んだ状態を一部透視して示す斜視図、図２１はこの洗浄水給水装置１００の周辺を断面視して説明するための説明図である。
【０１２２】
洗浄水給水装置１００は、便器後方の機器収納部１１に収納配設され、リム１４のリム導水路１６に洗浄水を給水する。この洗浄水給水装置１００は、図２１に詳しく示すように、洗浄水を貯留する洗浄水タンク１０８を有している。また、洗浄水給水装置１００は、止水弁１０９を介して水道配管と接続された配管１１０を備え、当該配管が二股状に分岐した分岐管１１０ａ、１１０ｂをタンク側壁を貫通して洗浄水タンク１０８内へ導き入れている。なお、洗浄水タンク１０８は、その上端が開放されており、タンク内の後述のボールタップ１１５やジェットポンプ１１３等の組み込み・保守の簡便化をもたらしている。
【０１２３】
分岐管１１０ａは、タンク内管路にフラッシュバルブ１１１を備え、ジェットポンプ１１３への洗浄水（作動用水）通水管路とされている。フラッシュバルブ１１１は、便器洗浄時に操作されるハンドル１１１ａを備え、当該ハンドルの操作により管路を開いて、洗浄水をその下流に通水する。
【０１２４】
フラッシュバルブ１１１の下流には、それ以降の洗浄水管路として、配管１１２と配管１１４とがジェットポンプ１１３を挟んで配管されている。配管１１２は、洗浄水タンク１０８の底部近傍まで下降し、下降端でタンク底部に沿って側方に屈曲した経路を採って配管されており、経路末端でジェットポンプ１１３と接続されている。ジェットポンプ１１３より下流の配管１１４は、ジェットポンプ噴出洗浄水を洗浄水給水路１８を経てリム導水路１６まで導く。
【０１２５】
この配管１１４は、図２０に示すような経路を採って配管されており、ジェットポンプ１１３からタンク上端近傍にまで上方に延びた上昇管路部１１４ａと、側方に屈曲してタンク側壁から洗浄水タンク１０８外へ延びた水平管路部１１４ｂと、タンク外壁に沿って屈曲下降した下降管路部１１４ｃと、その下流端で洗浄水給水路１８に連通する連通管路部１１４ｄとを有する。この場合、水平管路部１１４ｂは、洗浄水タンク１０８が便器洗浄前のために洗浄水Ｗ２で満水とされている場合の満水水位ＷＳより高い位置を採るよう配管されており、管路途中にバキュームブレーカ１１４ｅを有する。従って、何らかの原因で大便器１０の側から洗浄水が逆流しようとしても、バキュームブレーカ１１４ｅによる管路の大気解放により、洗浄水タンク１０８への洗浄水逆流を容易且つ確実に防止できる。また、配管１１４の管路末端の連通管路部１１４ｄは、満水水位ＷＳより高い位置で洗浄水給水路１８の連結孔１９に水密に接続されている。
【０１２６】
分岐管１１０ｂは、タンク内においてボールタップ１１５に接続されており、ボールタップ１１５の開閉に応じて洗浄水タンク１０８に洗浄水を給水補給する。ボールタップ１１５は、浮玉支持棒１１６の一端と接続され、支持棒他端は浮玉１１７に接続されている。浮玉１１７は、洗浄水タンク１０８の上部に取り付けられた小タンク１１８内に配設されている。小タンク１１８の上端は開放されている。小タンク１１８の底壁に小径の貫通穴１１８ａが形成されている。よって、小タンク１１８における洗浄水量（水位）により浮玉１１７が上下し、浮玉上下に連動してボールタップ１１５が開閉されるので、この開閉により洗浄水タンク１０８は所定の満水水位ＷＳに維持される。
【０１２７】
ジェットポンプ１１３は、配管１１２から給水された洗浄水（水道水）を、対向配置する配管１１４に向けて噴出する。こうして噴射された洗浄水は、配管１１４下端のスロートに入り込み、その際に洗浄水タンク１０８内のタンク洗浄水をこのスロートに巻き込み流入させる。こうして、配管１１４からは、流速増速を受けた噴流水が洗浄水給水路１８を経てリム導水路１６に給水される。その後は、リム導水路１６の上記各吐水孔から洗浄水が既述したように吐出される。
【０１２８】
なお、上記した洗浄水給水を行う際の水道水圧力（一次側圧力）は、便器洗浄に用いる洗浄水総量（約４．５〜６リットル）、ジェットポンプに供給される洗浄水流量（約１８〜２５リットル／ｍｉｎ）を考慮して定まり、約０．０９８ＭＰａ（約１ｋｇｆ／ｃｍ2）程度という低い一次側給水圧力で済む。
【０１２９】
給水停止については、次の通りである。便器ボール部１２内の溜水ＲＳが吸引されて便器ボール部１２が空になってサイホン作用が停止する頃に、洗浄水タンク１０８内の洗浄水Ｗ２の水位が、ジェットポンプ１１３のレベル以下となり、空気の吸込によりジェットポンプ１１３の流量増大作用が停止する。以降は、噴射ノズル１３１から吐出した水道水が配管１１４を通ってリム１４に至り、便器ボール部１２ヘ給水される。この結果、空になった便器ボール部１２に水道水が流入し、溜水ＲＳが頂上堰３０で定まる水位まで溜まる。
【０１３０】
フラッシュバルブ１１１は、所定量の水道水を流すと自動的に閉じる。これにより、ジェットポンプ１１３への水道水の供給が停止し、ジェットポンプ１１３の作動が停止する。このフラッシュバルブ１１１の停止タイミング、即ち水道水給水停止のタイミングは、上記したように便器ボール部１２における溜水ＲＳが上記の水位となる頃を見計らって調整されている。このタイミング調整には、溜水水量やジェットポンプ１１３による流量増大程度、便器洗浄に用いる総洗浄水量等が考慮され、これらに基づいたタイミングで停止するようフラッシュバルブ１１１が設計・製造される。
【０１３１】
ジェットポンプ１１３の作動により、洗浄水Ｗ２が洗浄水タンク１０８から排出されるので、洗浄水タンク１０８内の洗浄水Ｗ２の水位は低下する。洗浄水タンク１０８内の洗浄水Ｗ２の水位の低下に伴って、小タンク１１８内の洗浄水Ｗ２の水位も低下する。この場合、小タンク１１８内の洗浄水Ｗ２は、底壁に形成された小径の貫通穴１１８ａを通って徐々に洗浄水タンク１０８へ流入するので、小タンク１１８内の洗浄水Ｗ２の水位の低下速度は、洗浄水タンク１０８内の洗浄水Ｗ２の水位の低下速度に比べて小さい。従って、浮玉１１７は小さな下降速度で下降するので、ボールタップ１５は、ジェットポンプ１１３への洗浄水供給に遅れて開弁する。浮玉１１７の下降速度は、貫通穴１１８ａの洗浄水通過速度、即ち貫通穴径に依存することから、貫通穴径を調整することで、ボールタップ１１５の開弁タイミングを調整することができる。本実施例では、次のようにした。即ち、フラッシュバルブ１１１の閉弁を経てジェットポンプ１１３の作動が停止し大便器１０の洗浄が終了した頃に、浮玉１１７が所定レベルまで下降するよう貫通穴１１８ａの穴径を調整した。よって、便器洗浄の終了とほぼ同じ時期に、ボールタップ１１５が開弁して洗浄水タンク１０８への洗浄水の給水・補給を開始して、その後に、洗浄水タンク１０８を満水水位ＷＳの洗浄水Ｗ２の貯留状態とする。
【０１３２】
次に、上記の洗浄水給水装置１００を組み込んだ大便器１０で得られる効果について説明する。対比する大便器は、既存のタンク式のサイホントラップ便器であり、管路面積がほぼ一様とされたサイホントラップを有し、便器ボール部への洗浄水の吐出により溜水の旋回を起こすものである。対比試験としては、汚物排出能力を示すものとして一般的な微粒残数試験とＰＰ（ポリプロピレン）ボール残数試験を行った。この場合、微粒残数試験は、粒径約４．５ｍｍの微粒子を約２５００個溜水に浮かべ、この状態で便器洗浄を行った。この試験では、微粒残数が１２５個以内であれば、汚物の排出能力があるとされる。ＰＰボール残数試験は、粒径約１９ｍｍのＰＰボールを１００個溜水に浮かべ、この状態で便器洗浄を行った。この試験では、ＰＰボール残数が２５個以内であれば、汚物の排出能力があるとされる。本実施例の大便器１０と上記の比較例便器について、洗浄水総量（目標値）を変えて上記試験を行った。図２２は本実施例の大便器１０と対比する大便器について、便器ボール部への給水、ボール部への流入、トラップからの洗浄水排出の各流量を対比して説明する説明図、図２３は本実施例の大便器１０と上記の比較例便器について行った評価試験の結果を示す説明図である。
【０１３３】
この図２２、図２３から明らかなように、本実施例の大便器１０は、便器ボール部への給水流量、ボール部への流入流量並びにトラップからの洗浄水排出流量が対比大便器より少流量である拘わらず、評価試験の結果が格段に高まった。つまり、大便器１０によれば、節水の実効性効果が高いとされる現状洗浄水総量（約６リットル）で洗浄能力を格段に高めることができる。このことは、本実施例では、上記したサイホン作用が確実に起きているために、強い汚物・溜水吸引力が働いていると共に、第１主流Ｓ１と第２主流Ｓ２の略平行かつ同一回転方向への合流に基づく旋回流の押し込みが高い効率で働いているためといえる。よって、本実施例便器によれば、高い汚物排出能力を発揮できる。比較例便器であってもサイホン作用の発生は観察されたが、微粒残数試験での結果の相違から、サイホン作用の吸引力と旋回流による押し込み効率は、本実施例便器に勝るものではなかった。なお、ＰＰボール残数試験については、上記したように高い汚物排出能力を得ることができたことが確認されたので、実施を省略した。
【０１３４】
次に、現状洗浄水総量よりも少ない水量（５リットル）について、微粒残数試験とＰＰボール残数試験を行ったところ、本実施例の大便器１０によれば、共に、比較例品便器より高い洗浄能力を発揮することができた。この結果についても、本実施例では、上記したサイホン作用が確実に起きているために、強い汚物・溜水吸引力が働いていると共に、第１主流Ｓ１と第２主流Ｓ２の略平行かつ同一回転方向への合流に基づく旋回流の押し込みが高い効率で働いているためといえる。特に、上記の５リットル（実質的には約４リットル）という少量の洗浄水給水でありながら、溜水中に残るＰＰボール数を低減できた。このことは、第１主流Ｓ１と第２主流Ｓ２の略平行かつ同一回転方向への合流に基づく旋回流の押し込みが高い効率で働いている結果であるといえる。
【０１３５】
次に、旋回流の押し込み効率について比較した。つまり、実施例品便器・比較例品便器を、便器ボール部や溜水への洗浄水給水特性を変更することなくサイホントラップのない状態とし、旋回流の押し込み効率について比較した。なお、サイホントラップに替えて壁排水構成のＰ配管を上昇管路部２４の上端に接続した。図２４はサイホントラップのないものとした本実施例の便器を示す説明図、図２５は旋回流の押し込み効率についての実施例品と比較例品との比較結果を示す説明図である。比較試験は、ＰＰボール残数試験について行った。
【０１３６】
図２４に示すように、旋回流押し込み効率を確かめるための大便器は、上記した実施例の大便器１０において、頂上堰３０以降の管路を除去し、サイホントラップ２０に替わって壁排水用の排水ソケット１７０を水密に装着したものである。こうすれば、サイホン作用は生じないので、図示する大便器１０では、旋回流の押し込み効率によってのみ汚物搬送能力が定まる。
【０１３７】
図２５に示すように、本実施例の大便器１０によれば、比較例品便器より高い洗浄能力（ＰＰボールの押し込み効率）を発揮することができた。この結果についても、本実施例では、第１主流Ｓ１と第２主流Ｓ２の略平行かつ同一回転方向への合流に基づく旋回流の押し込みが高い効率で働いているためといえる。
このことは、上記したように旋回流を生じさせる大便器１０にあっては、旋回流による高い押し込み効率を得られるので、図２４に示すような排水ソケットを用いた壁排水仕様の大便器のようなサイホン作用を利用しない構造の便器において本実施例の旋回流を適用することで高い洗浄能力を得られることを意味する。なお、図２４に示したような壁排水仕様に限らず、湾曲した排水ソケットを用い床排水用配管に接続された場合にも本実施例の旋回流を適用することで高い洗浄能力を得ることができる。
【０１３８】
本実施例では、上記のような高い洗浄能力を少流量の洗浄水供給により発揮できる。便器への洗浄水の供給水量を確認したところ、本実施例の大便器１０では洗浄水の供給水量は約７０リットル／ｍｉｎ、比較例品便器では約１５０リットル／ｍｉｎという結果であった。こうした少流量では、洗浄開始当初においてサイホントラップの残存エアをトラップ管路から追い出せないとして、既存便器では少流量化が採用されることはなかった。しかしながら、本発明では、残存エアの全部を洗浄開始当初には排出させないと云う新規な着想に基づき、少流量給水での高能力化を現実のものとできた。
【０１３９】
既存の便器（比較例品）では、洗浄開始当初の残存エアの全部排出を図るため、溜水へは高い水勢、即ち大流量での洗浄水給水を行っていた。このため、洗浄水給水に伴う音や残存エアの排出に伴う音も大きかった。しかしながら、本実施例では、少流量での洗浄水給水で済むので、その分、上記の音が小さくなり、静寂性を高めることができた。集音測定器の結果によれば、本実施例の大便器１０では約５〜１０％の音の大きさの低減を図ることができた。なお、洗浄水総量を約４リットルとした場合、比較例品では約６６ｄｂであったのに対し、本実施例では約５９ｄｂとできた。洗浄水総量を約５リットルとした場合には、本実施例によれば、約６７ｄｂを約６３ｄｂとできた。
【０１４０】
なお本発明の実施形態としては、前述した洗浄水給水装置１００に替えて水頭圧を利用した洗浄水給水とすることもできる。図２６は洗浄水貯留タンクを組み込んだ変形例の大便器１０を説明するための説明図である。
【０１４１】
図示するように、この大便器１０では、機器収納部１１に洗浄水の貯留タンク装置１５０を収納し、タンク下面から給水管１５１を介して洗浄水給水路１８にタンク内の洗浄水を給水する。洗浄水給水路１８に給水された洗浄水は、既述したようにリム導水路１６に流れ込み、基部第１吐水孔４１等の各吐水孔から便器ボール部１２に吐出される。その後は、第１主流Ｓ１、第２主流Ｓ２の略平行かつ同一回転方向への合流による旋回流での洗浄水押し込み、並びに、サイホントラップ２０によるサイホン作用を起こす。よって、貯留タンク装置１５０を用いた大便器１０にあっても、上記した洗浄水総量の少量化等の効果を奏することができる。
【０１４２】
この大便器１０では、溜水ＲＳに流し込む洗浄水流量は、貯留タンク装置１５０が貯留するタンク洗浄水の満水水位面で得られる水頭圧ｈで定まる。この大便器１０にあっても、洗浄開始当初においてトラップ内の全エアの排出を要しないので、少流量での洗浄水給水で済む。よって、貯留タンク装置１５０は、既述した約７０リットル／ｍｉｎの少流量給水が図れるだけの水頭圧ｈを確保できれば足りる。このため、貯留タンク装置１５０の高さを既存の洗浄タンク式の節水便器（節水目標約６リットル）に比して、約１／２〜２／３程度とすればよいので、洗浄水タンク式でありながら、ローシルエット化や意匠性の向上、デザイン自由度の向上を図ることができる。
【０１４３】
次に、上記したように、頂上管路部２６の内壁最上位部７０でのエア残存や舌部７１の下面のエア溜まりを起こした状況であっても、少流量での洗浄水給水によりサイホン作用の発生・継続を起こす大便器１０の製造工程について説明する。図２７は大便器１０を製造する際の素地状態を説明するための説明図である。
【０１４４】
図示するように、大便器１０は、その焼成前の素地状態では、便器ボール部１２やボール底部１３とこれらを支える便器本体ＢＨと機器収納部１１を含む便器本体素地ＢＫと、頂上管路部２６の上半部分の頂上管路部素地ＴＫと、リム１４とこれに続く機器収納部１１の前方側壁面を含むリム素地ＲＫと、末端管路部７４となる末端管路素地ＭＫとされている。この場合、頂上管路部素地ＴＫは、図２、図３等に示す頂上管路部２６の湾曲管路のうち、頂上堰３０と対向する管路壁面となる壁面部位であって上昇管路部２４の連結部、即ち、上昇管路部２４と便器ボール部１２を区画する後方傾斜部６３との接合箇所から、下降管路部２８との連結部までの所定範囲の壁面部位の素地とされている。そして、大便器１０は、これら各素地を別々に予め型成形しておき、各素地を後述するように接合して焼成して製造される。
【０１４５】
図２８は末端管路素地ＭＫの型成形の様子を説明する説明図、図２９は末端管路部をサイホントラップ管路を含む便器素地と共に成形した場合の成形の様子を対比のために示す説明図である。
【０１４６】
図２８に示すように、雌型２００と雄型２１０とを用いる。この両型は多孔質部材から形成された吸引型であり、それぞれの型面に泥漿を堆積させる。雌型２００は、筒状の有底凹部２０１を中央に有し、型合わせ用の異形凹所２０２を上面縁部に有する。雄型２１０は、上面から略長円形の形状で突出した凸部２１１と、この凸部の一方の端側で円形形状で突出した先端凸部２１２とを有し、上面縁部には、雌型２００の異形凹所２０２に嵌合する異形凸部２１３を有する。
【０１４７】
この両型を、有底凹部２０１に先端凸部２１２が入り込むよう型合わせすると、図２８（ｂ）とそのｘ−ｘ線断面の図２８（ｃ）に示すように、有底凹部２０１と凸部２１１の型面の間にキャビティＭＫＫが形成される。
【０１４８】
次いで、キャビティＭＫＫに図示しない注入口から泥漿を流し込み、各型の吸引を経て、各型の型面に泥漿を堆積してこれを着肉させる。この際、キャビティＭＫＫは、各型の型面に接した部分は約１０mm程度の厚みの着肉泥漿で埋められ、残りの部分には流動状の泥漿が残る。この流動状の泥漿を図示しない排泥孔より外部に排出した後、乾燥を行ってキャビティの着肉泥漿から水分を取り除く。これにより、いわゆる土締まりが完了するので、上記の両型を型抜きする。そうすると、焼成前の末端管路部７４に相当する円筒カップ状の末端管路素地ＭＫが完成する。この場合、上記のキャビティにおいて先端凸部２１２の先端面は有底凹部２０１の底面に接合していることから、末端管路素地ＭＫは、その底面に、先端凸部２１２の外径形状に倣った円形の貫通孔７４ｍｋを有する。この末端管路素地ＭＫにおいては、その外壁形状は有底凹部２０１の内壁形状に倣った円筒形状となり、内壁形状は凸部２１１の外壁形状に倣った略長円形の形状となる。つまり、内外壁形状を異なるものとできる。なお、末端管路素地ＭＫにおける貫通孔７８ｍｋは、焼成後において貫通孔７８となり、この貫通孔７８ｍｋを除く底部分は最下端棚部８０となる。
【０１４９】
ところで、末端管路部をサイホントラップ管路を含む便器素地と共に成形する場合は、図２９（ａ）に示すように、便器素地成型用の左右の側型２１５、２１６が用いられる。そうすると、末端管路部に該当する素地部分では、泥漿の堆積着肉がいわゆる一重となるので、当該素地部分の内壁形状は、型形状が反映した外壁形状に倣った形状（円形形状）とならざるを得ず、上記したように内外壁形状を異なるものとはできない。
【０１５０】
図３０は頂上管路部素地ＴＫの型成形に用いる型を説明する説明図、図３１はこの頂上管路部素地ＴＫの型成形の様子を説明する説明図である。
【０１５１】
図３０に示すように、頂上管路部素地ＴＫの成形には、上型２２０と下型２３０とを用いる。この上下の両型にあっても多孔質部材からなる吸引型であり、それぞれの型面に泥漿を堆積させる。上型２２０は、頂上管路部２６における上記した壁面部位に相当する頂上管路部素地ＴＫの外壁形状を規定する形状で陥没形成された凹部２２１を有し、その左右縁部に型合わせ用の異形凹所２２２を有する。下型２３０は、頂上管路部素地ＴＫの内壁形状を規定する形状で突出形成された凸部２３１を有し、その左右縁部には、上型２２０の異形凹所２２２に嵌合する異形凸部２２３を有する。
【０１５２】
この両型を、凹部２２１に凸部２３１が対向するよう型合わせすると、図３１に示すように、凹部２２１と凸部２３１との型面の間にキャビティＴＫＫが形成される。
【０１５３】
次いで、キャビティＴＫＫに図示しない注入口から泥漿を流し込み、各型の吸引を経た型面への泥漿の堆積着肉、排泥、乾燥を行う。この乾燥により、キャビティではいわゆる土締まりが完了するので、その後に上記の両型を型抜きする。そうすると、焼成前の上記の壁面部位に相当する頂上管路部素地ＴＫが完成する。このようにして成形される頂上管路部素地ＴＫは、上記の上下の型における凹部・凸部の型面形状によりその内外壁形状が規定されるので、この内外壁形状を多様なものとでき、設計の自由度が高まる。また、頂上管路部素地ＴＫの内外壁面は、型面に密着して堆積着肉した側の素地面とできることから、不用意な凹凸のない壁面となる。
【０１５４】
図３２はリム素地ＲＫの型成形の様子を説明する説明図である。
【０１５５】
図示するように、リム素地ＲＫの成形には、上型２４０と下型２４２とを用いる。この上下の両型にあっても多孔質部材からなる吸引型であり、それぞれの型面に泥漿を堆積させる。上型２４０は、リム１４の上半部分とリム１４に続く機器収納部１１の前方側壁面並びにリム開口部周壁を含む部位の外壁形状を規定する形状の型面を有する。下型２４２は、リム１４の下半部分と上記の前方側壁面並びにリム開口部底面周壁を含む部位の外壁形状を規定する形状の型面を有する。そして、両型が型合わせされると、両型の型面の間にキャビティＲＫＫが形成されるので、このキャビティＲＫＫに図示しない注入口から泥漿を流し込み、各型の吸引を経た型面への泥漿の堆積着肉、排泥、乾燥を行う。この場合、上記のキャビティＲＫＫでは、上下の型の型面に一重で泥漿が堆積着肉し、この状態での乾燥により、キャビティでは土締まりが完了する。よって、その後に上記の両型を型抜きすると共に、型抜き後の素地に、既述した基部第１吐水孔４１や左方中央部吐水孔４３等の各吐水孔の他、連結孔１９などを穿孔形成する。そうすると、焼成前のリム１４に該当するリム素地ＲＫが完成する。
【０１５６】
図３３は便器本体素地ＢＫの型成形の様子を説明する説明図、図３４はこの便器本体素地ＢＫの型成形に用いる底型２５０の概略斜視図、図３５は図３４における３４−３４線の断面の様子を示す説明図、図３６は便器本体素地ＢＫの型成形に用いるボール中型２６０の概略斜視図、図３７は便器本体素地ＢＫの型成形に用いる割型２７０の概略斜視図、図３８は便器本体素地ＢＫの型成形に用いる一方の側型２８０の概略斜視図、図３９は大便器１０における機器収納部１１周辺での便器本体素地ＢＫの型成形の様子とこれに用いるインサイド割型を示す説明図である。
【０１５７】
図３３に示すように、便器本体素地ＢＫの成形に当たっては、まず、型成形台上（図示省略）に後述するボール中型２６０をボール凸部２６３が上向きとなるように倒立して載置する。次いで、このボール中型２６０を取り囲むように、便器左右の側型２８０を型合わせする。このときボール中型２６０には割型２７０が後述のように組み込まれている。その後、底型２５０を、側型２８０の型上縁に載るよう型合わせする。こうすることで、各型の型面で図３３に示すキャビティＢＫＫが倒立した状態で形成される。なお、各型は多孔質材から形成された吸引型であり、吸引により泥漿を型面に密着堆積させて、泥漿の着肉を起こすようにされている。また、各型には、型合わせに用いる異形凹部や凸部が形成されている。
【０１５８】
このキャビティＢＫＫは、便器ボール部１２やボール底部１３とこれらを支える便器本体ＢＨと機器収納部１１とを含み、頂上管路部素地ＴＫを除いたサイホントラップ２０の管路を含む便器本体素地ＢＫの形成のためのものであることから、次のように分けられる。つまり、キャビティＢＫＫは、図示するように、便器前方と便器左右では、ボール中型２６０と底型２５０の型面で囲まれたキャビティ部位ＢＫＫ２と、割型２７０と底型２５０の型面で囲まれたキャビティ部位ＢＫＫ３と、底型２５０と側型２８０並びにボール中型２６０の型面で囲まれたキャビティ部位ＢＫＫ４と、ボール中型２６０と割型２７０の型面で囲まれたキャビティ部位ＢＫＫ５に分けられる。なお、キャビティ部位ＢＫＫ５は、図３３の紙面における表裏方向にまで延びており、キャビティ部位ＢＫＫ２と連続する。キャビティ部位ＢＫＫ４にあっても紙面表裏方向に延び、キャビティ部位ＢＫＫ２と連続する。
【０１５９】
こうしたキャビティＢＫＫを形成するための底型２５０は、図３４、図３５に示すように、型合わせ部分となる底面部２５１を有し、その上面に、凸部２５２を有する。この凸部２５２は、サイホントラップ２０の管路外壁形成用の凸部位２５３と機器収納部１１の下部壁形成用の凸部位２５４を有し、凸部位２５３にはトラップ凹部２５５を有する。トラップ凹部２５５は、サイホントラップ２０のうちの下降管路部２８の外郭壁形状に適合するほか、便器ボール部１２におけるボール底部１３の下面側外郭形状と、便器ボール部１２の下方部位の下面側外郭形状と、便器本体ＢＨにおける下面側脚部ＢＨＫ（図２７参照）の下面側や底部側の外壁形状とに適合して、これら形状を規定するよう陥没形成されている。この場合、下降管路部２８は、図１１に示すように、下方ほど狭くなるテーパ状とされているので、トラップ凹部２５５にあっても、下降管路部２８に該当する個所では、図３５に示すように、テーパ状とされている。
【０１６０】
凸部位２５４にあっては、上記したキャビティ部位ＢＫＫ４の一部を形成するよう、その上面形状が機器収納部１１の下部壁の下面側外郭形状に適合するよう形成されている。なお、機器収納部１１の下部壁に当たる素地は、この凸部位２５４と後述の側型２８０並びにボール中型２６０によって、その全域が形成される。
【０１６１】
図３６に示すように、ボール中型２６０は、その上端に、後述の左右の側型２８０の上縁との型合わせ部分となる上部上縁部２６１と、既述したリム素地ＲＫとの繋ぎ部位を形成するための下部上縁部２６２とを備える。そして、ボール中型２６０は、下部上縁部下面に、ボール凸部２６３と後部凸部２６４とを有する。
【０１６２】
ボール凸部２６３は、その下端に、ボール底部１３の内周壁形状を規定するよう凸形状に形成された下端凸部２６５を備える。この下端凸部２６５は、上昇管路部２４のトラップ入口２２（図２、図３参照）の開口形状に適合して形成された端部切欠部２６６を有する。
【０１６３】
この下端凸部２６５を除くボール凸部２６３の凸形状は、便器ボール部１２の内周壁形状全域、詳しくは、図２や図３等に示す上縁周壁５５や、傾斜部６０、傾斜部６１、下端棚部６２並びに後方傾斜部６３の内周壁形状に適合してこれら形状を規定するよう形成されている。
【０１６４】
後部凸部２６４は、ボール凸部２６３と対向する側に、後述する割型２７０を挿入組み付けするための挿入凹所２６８を有する。そして、この後部凸部２６４は、上記したキャビティ部位ＢＫＫ４の一部を形成するよう、その下端面と後部端面（図における左方端面）を、機器収納部１１の下部壁並びに後部壁の内面側外郭形状に適合させている。
【０１６５】
図３７に示すように、割型２７０は、上記したボール中型２６０における挿入凹所２６８に入り込む挿入部位２７１と、管路形成用凸部２７２とを二股状に接合して備える。この場合、挿入部位２７１と挿入凹所２６８の関係は、次のようになっている。つまり、挿入部位２７１を挿入凹所２６８に挿入させて割型２７０を倒立したボール中型２６０に組み込んだ状態においてがたつきがなくキャビティを形成でき、かつ後述する型抜き作業時にボール中型２６０と割型２７０が独立して型抜きできるよう挿入部位２７１と挿入凹所２６８は、その寸法・形状の調整を受けている。
【０１６６】
また、この割型２７０にはトラップ開口成型用の付属型２７３が付属しており、双方の型に埋設された図示なきマグネットにより、管路形成用凸部２７２の下端側側面に付属型２７３が磁力密着されている。こうして割型２７０に磁力密着された付属型２７３は、型合せの完成状態においてボール中型２６０における下端凸部２６５の端部切欠部２６６にスキなく接合する。また、割型２７０は、この状態おいて、管路形成用凸部２７２とこれに対向するボール凸部２６３との間にスキを残し、このスキを上記したキャビティ部位ＢＫＫ５とする。
【０１６７】
管路形成用凸部２７２は、サイホントラップ２０における上昇管路部２４の管路内壁形状に適合して当該内壁形状を規定するよう形成されている。また、この管路形成用凸部２７２と挿入部位２７１の又状連結部２７４は、頂上管路部２６が有する頂上堰３０と舌部７１の管路側壁面形状に適合してこれら形状を規定するよう形成されている。なお、挿入部位２７１の図における下端面部位２７５は、樹脂等により被覆されており、当該領域に泥漿が着肉しないようにされている。この下端面部位２７５を樹脂被覆しない場合は、当該部位に着肉した泥漿を、型抜き後に切り欠くようにすればよい。
【０１６８】
図３８に示すように、側型２８０は、左右の側型同士の型合わせ部分となる便器前方側縁部２８１と、便器後方側縁部２８２と、底型２５０との型合わせ部分となる底縁部２８３と、底型２５０の凸部位２５４の側面との型合わせ部分となる下端側縁部２８４とを有する。そして、側型２８０は、これら縁部で囲まれた部位を、外周凹部２８５とする。この外周凹部２８５は、機器収納部１１を含む便器本体ＢＨの外壁形状に適合して当該形状を規定するよう形成されている。
【０１６９】
これらの底型２５０ないし側型２８０を図３３に示すように型合わせすると、既述したキャビティＢＫＫが各型面にて形成される。この場合、機器収納部１１を形成するための便器後部部位では、図３９に示すように、側型２８０とボール中型２６０の後部凸部２６４との間に、適正なキャビティ部位ＢＫＫ４を機器収納部１１の周壁形状に倣って形成すべく、インサイド割型２９０〜２９３が組み込まれる。
【０１７０】
こうして上記の各型とその型合わせにより便器本体素地ＢＫ形成用のキャビティＢＫＫが形成されると、このキャビティＢＫＫに図示しない注入口から泥漿を流し込み、各型の吸引を経た型面への泥漿の堆積着肉、排泥、乾燥を行う。この場合、上記のキャビティＢＫＫにおけるキャビティ部位ＢＫＫ１とキャビティ部位ＢＫＫ３では、それぞれの型の型面に一重で泥漿が堆積着肉し、その他のキャブ部位では、対向する型面間が泥漿で埋められた状態のいわゆる二重の着肉となる。そして、上記の乾燥により、キャビティでは土締まりが完了し、キャビティＢＫＫで便器本体素地ＢＫができ上がる。
【０１７１】
ここで各キャビティ部位と素地との対応について説明する。
【０１７２】
キャビティ部位ＢＫＫ１では、便器ボール部１２の内周壁領域のうち、便器ボール部１２上縁の上縁周壁５５と傾斜部６０の全域、並びに傾斜部６１のほぼ全域の素地の他、便器本体ＢＨにおける下面側脚部ＢＨＫや便器本体前方からその左右側壁に亘る部位の素地が形成される。キャビティ部位ＢＫＫ２では、傾斜部６１と下端棚部６２の繋ぎ部分や、下端棚部６２とボール底部１３の全領域の素地が形成される。キャビティ部位ＢＫＫ３では、サイホントラップ２０における上昇管路部２４の下端側管路壁（下降管路部２８との区画壁）とこれに連続する頂上堰３０と舌部７１の他、下降管路部２８の湾曲管路部７２、中間管路部７３の管路と、この管路における上部管路棚部７５や下部管路棚部７７並びに外周壁部７６を含む素地が形成される。キャビティ部位ＢＫＫ４では、機器収納部１１を取り囲む便器壁面に亘る素地が、キャビティ部位ＢＫＫ５では、便器ボール部１２と上昇管路部２４を区画する後方傾斜部６３の全域と上記の便器ボール部内周壁に繋がる部位の素地がそれぞれ形成される。
【０１７３】
こうして乾燥を経た土締まりの完了後は、上記の各型を型抜きする。まず、最上部にセットされている底型２５０を持ち上げて脱型し、脱型後の素地における下降管路部２８の下端に、図３５に示すように貫通孔７７ｍｋをあける。なお、この貫通孔７７ｍｋ周囲下端壁部位が図２等に示す下部管路棚部７７となる。次に脱型された部分の素地を支えるための受け板を底型２５０の代わりにセットして、型全体を転回し成形された便器本体素地ＢＫを正規の向きにもどす。次に、転回により上部に位置するボール中型２６０を持ち上げる。この場合、割型２７０は、キャビティ部位ＢＫＫ５で土締まりした素地で上方向に対しては若干の拘束力を受けることから、既述した挿入部位２７１と挿入凹所２６８の関係（寸法・形状調整）により、ボール中型２６０は、単独で持ち上がる。
【０１７４】
ボール中型２６０の脱型の後、割型２７０を、図３３の図示形状を反転させた姿勢における斜め上部後方に向けて持ち上げ、これを型抜きする。この際に割型２７０に磁力密着している付属型２７３はキャビティ部位ＢＫＫ５で土締まりした素地で斜め上部方向に対してさらに若干の拘束力を受けることから、割型２７０は磁力密着力に抗して付属型２７３を伴わずに脱型され、その後に付属型２７３を脱型すると、トラップ開口が精度良く形成される。その後は、インサイド割型２９０〜２９３の型抜きを行った段階で、焼成前の便器本体ＢＨに該当する便器本体素地ＢＫが完成されているので、ここで先に形成された大便器１０の製造に必要な総ての素地、即ち、頂上管路部素地ＴＫと、リム素地ＲＫと、末端管路素地ＭＫと、便器本体素地ＢＫを次のようにして一体化する。
【０１７５】
まず、便器本体素地ＢＫに頂上管路部素地ＴＫと末端管路素地ＭＫを接合する。頂上管路部素地ＴＫの接合に際しては、図２７に示すように、便器本体素地ＢＫのうちの上昇管路部２４と下降管路部２８を繋げてサイホントラップ２０の管路を塞ぐようにする。又、末端管路素地ＭＫの接合に際しては、大便器１０の出荷先の排水口状況やラフィンの状況に併せて、下降管路部２８との位置合わせを行う。例えば、焼成後の末端管路部７４が便器設置に伴い排水口に挿入できるような位置としたりする。なお、末端管路素地ＭＫの接合については、後述する。次いで、便器本体素地ＢＫの上縁にリム素地ＲＫを接合させ、その後便器本体素地ＢＫを支えていた左右の側型２８０を取り除く。このようにして得られた大便器１０の素地は、乾燥を経た後所定の焼成条件で、素地焼成を行い、大便器１０完成させる。なお、焼成後には、洗浄水給水装置１００の組み込みを行う。図２６に示すタンク式のものでは、給水管１５１や貯留タンク装置１５０を組み込む。
【０１７６】
以上説明したように、サイホン作用の発生・継続を従来にない少流量での洗浄水給水で起こす特徴がある大便器１０の製造に当たり、焼成前の素地状態では、サイホントラップ２０の頂上管路部２６の湾曲管路では、頂上堰３０と対向する管路壁面となる壁面部位の頂上管路部素地ＴＫが、上昇管路部２４の連結部から下降管路部２８との連結部までの間に亘って存在しない状態とする。よって、上昇管路部２４の内壁や頂上堰３０並びに舌部７１を形成するための割型２７０をボール中型２６０に組み込むことで、便器本体素地ＢＫを形成できる。このため、割型２７０の型面に密着堆積した側の素地面を、上昇管路部２４の内壁面や頂上堰３０並びに舌部７１の壁面とできることから、これら部位を凹凸のない内壁を有するものとできるほか、既存の型成形では、形成不可であった管路内突出部位（舌部７１）を有するような頂上堰３０とできる。
【０１７７】
こうした上昇管路部２４や頂上堰３０形成のための割型２７０については、ボール中型２６０の挿入凹所２６８への組み込みが必要であるという制約を受けるものの、型形状については自由度が高まるので、サイホントラップ管路形状を多様化できる。よって、本実施例の製造方法によれば、サイホントラップ管路形状が多様化した大便器を容易に製造できる。しかも、割型２７０の付属型２７３とボール中型２６０の下端凸部２６５とを接合させて、当該箇所をトラップ入口２２の開口箇所とし、トラップ入口２２を高い寸法精度で形成することができる。
【０１７８】
また、割型２７０および付属型２７３により、頂上堰３０とトラップ入口２２の形状を規定するので、これらの形状に依存する、ボール部溜水の封水高さ（頂上堰３０とトラップ入口２２上端との高低差に等しい）を精度良く得ることができる。
【０１７９】
ちなみにこの封水高さは、排水管からの小動物や汚臭の逆流を防ぐためのトラップ性能を規定するものであり、一定以上の高さが必要である。しかし、これがあまり大きすぎると、ボール部溜水に浮遊する汚物がトラップ入口に到達するまでの移動距離が大きくなり、汚物の排出性能が低下する。よって、これら機能確保のためは、封水高さを適切な範囲の値とすることが必要であるので、この封水高を高精度にできる点においても、本発明の大便器およびその製造方法は、他にない利点を有するものである。
【０１８０】
また、排水口に挿入される末端管路部７４を素地状態で別体としたので、焼成後のこの末端管路部７４を含む便器全体が陶器製でありながら、この大便器１０の設置に際して、末端管路部７４を排水口に挿入させるようにすることができる。よって、ソケット等の事前設置や、ソケット製造のための工程・設備管理が不要となり、コスト的に有利である。また、末端管路部７４が排水口に挿入配設可能であることから、この末端管路部７４を有するサイホントラップ２０を陶器のまま排水口仕様に適合できる。加えて、この末端管路部７４を、雌型２００と雄型２１０で型形成して、その外壁形状を排水口挿入に都合のよい円筒形としつつ、内壁形状を既述したように綿棒等の好適な排出やサイホン作用発生のための洗浄水貯め置きに適した楕円形状といったようにすることができる。よって、大便器１０自体の付加価値を、高めることができる。
【０１８１】
次に、他の実施例について説明する。この実施例では、大流量での洗浄水給水によるサイホン作用発生を行うものであり、サイホントラップの管路形状に既存のものとほぼ同じである。図４０は、他の実施例の大便器３００を説明するための説明図である。
【０１８２】
図示するように、この大便器３００は、単純に湾曲したサイホントラップ２０Ａを有し、その上昇管路部２４Ａをトラップ入口２２Ａを介して便器ボール部１２Ａに臨ませている。なお、リム１４については、既述した大便器１０とその形状において同様としたが、リムからの洗浄水給水は、約１００〜１５０リットル／ｍｉｎ程度といった大流量でのものを想定している。
【０１８３】
この大便器３００のサイホントラップ２０Ａは、大便器１０と同様、トラップ入口２２Ａから便器後方側に斜め上方に向けた管路を形成する上昇管路部２４Ａと、上昇管路部２４Ａの上端に連結して下方に向けて湾曲した頂上管路部２６Ａと、頂上管路部２６Ａに連結して下降する下降管路部２８Ａとを有する。しかしながら、上記の大流量での洗浄水給水を前提とするので、頂上管路部２６Ａには便器ボール部１２Ａの溜水水位を規定する湾曲凸状の頂上堰３０Ａを有するにすぎず、上記各管路はほぼ同一の管路断面形状とされている。そして、この大便器３００にあっても、下降管路部２８Ａの末端部分は、素地の状態では、リム１４と便器本体ＢＨ並びにサイホントラップ２０Ａを含む便器本体素地ＢＫＡとは別体の末端管路素地ＭＫとされている。この末端管路素地ＭＫは、大便器１０の場合と同様に、素地焼成に先立って便器本体素地ＢＫＡの下降管路部２８Ａ末端に接合される。なお、便器本体素地ＢＫＡは、底型・左右の側型・ボール中型で、サイホントラップ２０Ａ部分を一体のまま素地成形され、リム１４のリム素地ＲＫは便器本体素地ＢＫと別体とされている。
【０１８４】
この実施例であっても、排水口に挿入される末端管路部７４を素地状態で別体としたので、既述した末端管路部７４に関しての上記効果を奏することができる。
【０１８５】
次に、末端管路素地ＭＫの接合について説明する。上記した実施例では、末端管路部７４を素地状態で別体としておき、焼成後の末端管路部７４が排水口に挿入可能とした。この場合、末端管路部７４の下端を便器底面より控えた高さとする際には、排水口をトイレ床面から立ち上げればよい。そして、床面から立ち上がった排水口とこれに挿入された末端管路部７４の間に、適宜なシール部材（パッキン等）を配設すれば、排水漏洩をより確実に回避できる。こうしたものの他、次のようにすることもできる。図４１は種々のラフィンへの対応の様子を説明する説明図、図４２は末端管路部７４と排水口との繋ぎの様子を説明する説明図である。
【０１８６】
ラフィンは、日本ではその多くが約２００ｍｍ程度とされており、アメリカでは約３０５ｍｍ、中国では約３０５ｍｍや４０５ｍｍ、台湾では約４０５ｍｍというように、国や地域によって相違する。上記の実施例では、ラフィンが約２００ｍｍの日本の場合を想定して説明したが、異なるラフィン対応には、次のようにした。図４１（ａ）はラフィン２００対応の様子を、図４１（ｂ）はラフィン３０５対応の様子を、図４１（ｃ）はラフィン４０５対応の様子を示している。なお、これらに示すように、ラフィンＲｆが相違すれば、便器後端から末端管路部７４（詳しくはその通水孔センター位置）までの間の距離Ｂｒｆも異なり、この距離ＢｒｆはラフィンＲｆに応じて定まる。
【０１８７】
この図４１に示すように、ラフィンＲｆが狭ければ、末端管路素地ＭＫは便器後端側によった位置に接合されて、便器本体素地ＢＫと共に焼成される。そして、ラフィンＲｆが広くなるに従って末端管路素地ＭＫを便器ボール側にずれた位置に接合させ、便器本体素地ＢＫと共に焼成する。つまり、ラフィンＲｆに応じて、末端管路素地ＭＫの接合位置を調整する。この調整は、ラフィンＲｆに応じて定まる上記の距離Ｂｒｆを図りながら行う。また、ラフィンＲｆ４０５の場合のように、便器ボール側にのずれ量が大きい場合は、下降管路部２８下端の通水孔を覆うことができるよう、末端管路素地ＭＫ（末端管路部７４）についても、その形状を大きなものとする。つまり、ラフィンＲｆに併せて末端管路素地ＭＫ（末端管路部７４）の形状が相違するものを複数用意しておき、便器設置地域のラフィン実状に併せて末端管路素地ＭＫの接合位置を便器製造の段階で行うのである。こうすれば、便器本体素地ＢＫを共通化しておくこと、即ち型サイズが大きくてその製造や保管等の管理が煩雑な便器本体素地ＢＫの型成形用の型を共通化できる。このため、小さな素地部品である末端管路素地ＭＫの製造に必要な型（図２８参照）を準備すればよいので、型製造やその管理コストの低減を図ることができる。しかも、末端管路素地ＭＫの接合、その後の焼成を経て得られた便器は、排水口仕様の一つであるラフィンへの適合を、陶器製便器自体で図ることができる。
【０１８８】
なお、図４１（ｃ）にしめすように末端管路素地ＭＫ（末端管路部７４）が大きなものとなった場合には、この管路部は排水口に挿入できないが、次のようにすればよい。即ち、末端管路部７４の下面で排水口を取り囲む環状シール部材を押圧するようにして、排水口周りをシールするようにすれば、排水漏れを起こすことなく排水口に洗浄水を排水できる。
【０１８９】
次に、末端管路部７４を床から立ち上がった排水口に挿入するのではなく、ほぼ床面までとされた排水口と末端管路部７４との繋ぎの様子について説明する。図４２（ａ）に示すように、第１の手法は、床面までの排水口ＨＳに排水コネクタＨＳＣを配置する。この排水コネクタＨＳＣは、直管状をなし、その上半分の把持部ＵＰで末端管路部７４を把持しつつシールを図る。また、この排水コネクタＨＳＣは、その下半分の挿入部ＤＰを排水口ＨＳに入り込ませて排水シールを図る。このようにすれば、排水口ＨＳに対向した末端管路部７４を、排水コネクタＨＳＣを介して排水口ＨＳに繋がることができ、排水シールも確保できる。そして、この排水ソケットＨＳＣは、把持部ＵＰと挿入部ＤＰを単純に繋げた直管状であり、その形状は統一されることから、便器設置に際して間違えることもなく、その取扱も簡便となる。
【０１９０】
第２の手法は、図４２（ｂ）に示すように、末端管路部７４を、下端近傍周壁に、円盤状のフランジ７４ｆを有するものとする。こうした形状の末端管路部７４の製造には、図２８に示した雌型２００を上下分割可能なものとし、その分割型面に、フランジ７４ｆ形成のためのキャビティを形成するようにすればよい。そして、便器設置に先立ち、排水口ＨＳに、上端にフランジを有する排水フランジＨＳＦを挿入しておき、末端管路部７４のフランジ７４ｆと排水フランジＨＳＦのフランジ部との間に、環状シール部材（いわゆるＰシール）を配置する。そして、末端管路部７４のフランジ７４ｆでＰシールを押圧して排水口ＨＳの周りをシールして、排水漏れを回避するようにできる。こうすれば、排水口ＨＳとの繋ぎや排水漏れ回避を末端管路部７４自体で行うことができ、屈曲等したソケット等を必要としないので簡便である。
【０１９１】
以上本発明の実施例について説明したが、本発明は上記の実施例や実施形態になんら限定されるものではなく、本発明の要旨を逸脱しない範囲において種々なる態様で実施し得ることは勿論である。
【０１９２】
例えば、上記した実施例では、第１主流Ｓ１を生成するに当たり、基部第１吐水孔４１からの吐出洗浄水と基部第２吐水孔４２からの吐出洗浄水を合流させたが、長孔形状の単一の吐水孔からの吐出洗浄水を第１主流Ｓ１とすることもできる。
【０１９３】
また、図２や図２６等で示す大便器１０において、図４３に示すように頂上管路部２６を上昇管路部２４と同程度の管路面積のものとし、上昇管路部２４を上昇する洗浄水により頂上堰３０のエアが押されて頂上管路部以降の管路に流れ込むものとすることもできる。こうしても、上記した下降管路部２８の管路構成を有することで、舌部７１下方でのエア封止を介して、上昇エアによる水柱の分断、引いてはサイホン作用の消失を起こさない。よって、上記実施例と同様の効果を奏することができる。
【０１９４】
また、図４４に示すように、リム１４に便器左側後方の第１吐水孔４１ａと便器右側前方の第２吐水孔４３ａとを設け、この両吐水孔を便器水平面視において溜水ＲＳの中央を中心に対角の位置とする。そして、この両吐水孔から洗浄水を吐出すると、第１主流Ｓ１と第２主流Ｓ２は、図示するように溜水ＲＳを挟んで略平行な関係を採って溜水ＲＳに合流し、両主流の合流によって溜水ＲＳに同一回転方向の旋回流が発生する。よって、この変形例であっても、既述した大便器１０と同様の利点がある。なお、第２吐水孔４３ａにはリム導水路１６を用いて洗浄水を導くようにしたり、ホース４３ｂを用いて洗浄水を導くようにすればよい。また、この第２吐水孔４３ａからの第２主流Ｓ２を安定させるために、当該吐水孔としてノズルを設置するようにしてもよい。
【図面の簡単な説明】
【図１】実施例の大便器１０をその上面を破断して説明するための説明図である。
【図２】図１の大便器１０を前後方向の中央線に沿って左方に断面視して示す説明図である。
【図３】同じく右方に断面視して示す説明図である。
【図４】図２に示すリムの左方中央部吐水孔４３付近を一部破断して説明するための説明図である。
【図５】基部第１吐水孔４１と基部第２吐水孔４２とから吐出された洗浄水の挙動を説明する説明図である。
【図６】左方中央部吐水孔４３と第１矯正用吐水孔４５、リム前端側吐水孔４４、第２矯正用吐水孔４８および右中央部吐水孔４７からの洗浄水吐出を説明する説明図であり、図６（ａ）は各吐水孔から単独で洗浄水吐出を行ったと仮定した場合の洗浄水の挙動を説明する説明図、図６（ｂ）は各吐水孔からの洗浄水吐出により起きる洗浄水の挙動を説明する説明図である。
【図７】総ての吐水孔からの洗浄水吐出により起きる洗浄水の挙動を模式的に説明する説明図である。
【図８】この洗浄水挙動を起こす各主流Ｓ１、Ｓ２が溜水ＲＳに個別に合流することを仮想した際の様子を模式的に説明する説明図である。
【図９】両主流Ｓ１、Ｓ２が同時に溜水ＲＳに合流した際の溜水における旋回の挙動を模式的に説明する説明図である。
【図１０】大便器１０を第２主流Ｓ２の溜水合流付近である図１の１０−１０線で断面視して示す説明図である。
【図１１】サイホントラップ２０の管路構成を説明するために管路を図３の１１−１１線に沿って断面視した説明図である。
【図１２】下降管路部２８を図３および図１１の１２−１２線に沿って断面視した説明図である。
【図１３】下降管路部２８を図３および図１１の１３−１３線に沿って断面視した説明図である。
【図１４】下降管路部２８を図３および図１１の１４−１４線に沿って断面視した説明図である。
【図１５】洗浄開始初期における洗浄水の挙動を説明するための説明図である。
【図１６】洗浄水が末端管路部７４で貯め置かれる様子を説明する説明図である。
【図１７】サイホン作用の発生の状況を説明する説明図である。
【図１８】エア残存状況下でサイホン作用の発生・継続を起こす様子を確認するためのＵ字管の設置状況を示す説明図である。
【図１９】Ｕ字管の液位推移を表したグラフである。
【図２０】大便器１０に洗浄水給水装置１００を組み込んだ状態を一部透視して示す斜視図である。
【図２１】この洗浄水給水装置１００の周辺を断面視して説明するための説明図である。
【図２２】本実施例の大便器１０と対比する大便器について、便器ボール部への給水、ボール部への流入、トラップからの洗浄水排出の各流量を対比して説明する説明図である。
【図２３】本実施例の大便器１０と比較例便器について行った評価試験の結果を示す説明図である。
【図２４】サイホントラップのないものとした本実施例の便器を示す説明図である。
【図２５】旋回流の押し込み効率についての実施例品と比較例品との比較結果を示す説明図である。
【図２６】洗浄水貯留タンクを組み込んだ変形例の大便器１０を説明するための説明図である。
【図２７】大便器１０を製造する際の素地状態を説明するための説明図である。
【図２８】末端管路素地ＭＫの型成形の様子を説明する説明図であり、図２８（ａ）は、型合わせ前の雌型２００と雄型２１０の様子を説明する説明図、図２８（ｂ）は、この両型を型合わせした場合のキャビティＭＫＫの様子を説明する説明図、図２８（ｃ）は、図２８（ｂ）をｘ−ｘ線で断面視してキャビティＭＫＫの様子を説明する説明図である。
【図２９】末端管路部をサイホントラップ管路を含む便器素地と共に成形した場合の成形の様子を対比のために示す説明図であり、図２９（ａ）は、末端管路部とサイホントラップ管路の素地の着肉の様子を示す説明図、図２９（ｂ）は、図２９（ａ）をｘ−ｘ線で断面視して末端管路部の素地の着肉の様子を示説明図である。
【図３０】頂上管路部素地ＴＫの型成形に用いる型を説明する説明図である。
【図３１】この頂上管路部素地ＴＫの型成形の様子を説明する説明図である。
【図３２】リム素地ＲＫの型成形の様子を説明する説明図である。
【図３３】便器本体素地ＢＫの型成形の様子を説明する説明図である。
【図３４】この便器本体素地ＢＫの型成形に用いる底型２５０の概略斜視図である。
【図３５】図３４における３４−３４線の断面の様子を示す説明図である。
【図３６】便器本体素地ＢＫの型成形に用いるボール中型２６０の概略斜視図である。
【図３７】便器本体素地ＢＫの型成形に用いる割型２７０の概略斜視図である。
【図３８】便器本体素地ＢＫの型成形に用いる一方の側型２８０の概略斜視図である。
【図３９】大便器１０における機器収納部１１周辺での便器本体素地ＢＫの型成形の様子とこれに用いるインサイド割型を示す説明図である。
【図４０】他の実施例の大便器３００を説明するための説明図である。
【図４１】種々のラフィンへの対応の様子を説明する説明図であり、図４１（ａ）はラフィン２００対応の様子を、図４１（ｂ）はラフィン３０５対応の様子を、図４１（ｃ）はラフィン４０５対応の様子をそれぞれ示す説明図である。
【図４２】末端管路部７４と排水口との繋ぎの様子を説明する説明図であり、図４２（ａ）は、排水コネクタＨＳＣを用いた手法を説明する説明図、図４２（ｂ）は、排水フランジＨＳＦを用いた手法を説明する説明図である。
【図４３】頂上管路部２６を上昇管路部２４と同程度の管路面積のものとして頂上堰３０のエアがそれ以降の管路に流れ込むようにした大便器を示す説明図である。
【図４４】第１主流Ｓ１、第２主流Ｓ２の洗浄水を、便器水平面視において溜水の中央を中心に対角の位置から溜水に吐出して旋回を起こすようにした変形例の大便器を示す説明図である。
【符号の説明】
１０…大便器
１１…機器収納部
１２…便器ボール部
１２Ａ…便器ボール部
１３…ボール底部
１４…リム
１５…ボールタップ
１６…リム導水路
１６ａ…拡張導水路
１６ｂ…狭小導水路
１８…洗浄水給水路
１９…連結孔
２０…サイホントラップ
２０Ａ…サイホントラップ
２２…トラップ入口
２２Ａ…トラップ入口
２４…上昇管路部
２４Ａ…上昇管路部
２６…頂上管路部
２６Ａ…頂上管路部
２８…下降管路部
２８Ａ…下降管路部
３０…頂上堰
３０Ａ…頂上堰
４１…基部第１吐水孔
４１ａ…第１吐水孔
４２…基部第２吐水孔
４３…左方中央部吐水孔
４３ａ…第２吐水孔
４３ｂ…ホース
４４…リム前端側吐水孔
４５…第１矯正用吐水孔
４６…補助吐水孔
４７…右中央部吐水孔
４８…第２矯正用吐水孔
４９…第３矯正用吐水孔
５０…第４矯正用吐水孔
５１…補助吐水孔
５２…左方隆起部
５３…右方隆起部
５５…上縁周壁
５６…垂下板部
５７…底面部
６０…傾斜部
６１…傾斜部
６２…下端棚部
６３…後方傾斜部
６４Ｌ…傾斜部
６４Ｒ…傾斜部
６５Ｌ…傾斜部
６５Ｒ…傾斜部
７０…内壁最上位部
７１…舌部
７２…湾曲管路部
７３…中間管路部
７４…末端管路部
７４ｆ…フランジ
７４ｍｋ…貫通孔
７５…上部管路棚部
７６…外周壁部
７７…下部管路棚部
７７ｍｋ…貫通孔
７８…貫通孔
７８ｍｋ…貫通孔
７９…管路部
８０…最下端棚部
１００…洗浄水給水装置
１０８…洗浄水タンク
１０９…止水弁
１１０…配管
１１０ａ…分岐管
１１０ｂ…分岐管
１１１…フラッシュバルブ
１１１ａ…ハンドル
１１２…配管
１１３…ジェットポンプ
１１４…配管
１１４ａ…上昇管路部
１１４ｂ…水平管路部
１１４ｃ…下降管路部
１１４ｄ…連通管路部
１１４ｅ…バキュームブレーカ
１１５…ボールタップ
１１６…浮玉支持棒
１１７…浮玉
１１８…小タンク
１１８ａ…貫通穴
１３１…噴射ノズル
１５０…貯留タンク装置
１５１…給水管
１７０…排水ソケット
２００…雌型
２０１…有底凹部
２０２…異形凹所
２１０…雄型
２１１…凸部
２１２…先端凸部
２１３…異形凸部
２１５…側型
２２０…上型
２２１…凹部
２２２…異形凹所
２２３…異形凸部
２３０…下型
２３１…凸部
２４０…上型
２４２…下型
２５０…底型
２５１…底面部
２５２…凸部
２５３…凸部位
２５４…凸部位
２５５…トラップ凹部
２６０…ボール中型
２６１…上部上縁部
２６２…下部上縁部
２６３…ボール凸部
２６４…後部凸部
２６５…下端凸部
２６６…端部切欠部
２６８…挿入凹所
２７０…割型
２７１…挿入部位
２７２…管路形成用凸部
２７３…付属型
２７４…又状連結部
２７５…下端面部位
２８０…側型
２８１…便器前方側縁部
２８２…便器後方側縁部
２８３…底縁部
２８４…下端側縁部
２８５…外周凹部
２９０…インサイド割型
３００…大便器
ＢＨ…便器本体
ＢＨＫ…下面側脚部
ＢＫ…便器本体素地
ＢＫＡ…便器本体素地
ＢＫＫ…キャビティ
ＢＫＫ２…キャビティ部位
ＢＫＫ３…キャビティ部位
ＢＫＫ４…キャビティ部位
ＢＫＫ５…キャビティ部位
ＢＫＫ１…キャビティ部位
ＤＰ…挿入部
ＨＳ…排水口
ＨＳＣ…排水コネクタ
ＨＳＣ…排水ソケット
ＨＳＦ…排水フランジ
ＭＫ…末端管路素地
ＭＫＫ…キャビティ
ＲＫ…リム素地
ＲＫＫ…キャビティ
ＲＳ…溜水
ＴＫ…頂上管路部素地
ＴＫＫ…キャビティ
ＴＳ…吐出軌跡
ＵＰ…把持部
ＷＳ…満水水位
【図１】
0003760916.tif 000002
【図２】
0003760916.tif 000003
【図３】
0003760916.tif 000004
【図４】
0003760916.tif 000005
【図５】
0003760916.tif 000006
【図６】
0003760916.tif 000007
【図７】
0003760916.tif 000008
【図８】
0003760916.tif 000009
【図９】
0003760916.tif 000010
【図１０】
0003760916.tif 000011
【図１１】
0003760916.tif 000012
【図１２】
0003760916.tif 000013
【図１３】
0003760916.tif 000014
【図１４】
0003760916.tif 000015
【図１５】
0003760916.tif 000016
【図１６】
0003760916.tif 000017
【図１７】
0003760916.tif 000018
【図１８】
0003760916.tif 000019
【図１９】
0003760916.tif 000020
【図２０】
0003760916.tif 000021
【図２１】
0003760916.tif 000022
【図２２】
0003760916.tif 000023
【図２３】
0003760916.tif 000024
【図２５】
0003760916.tif 000025
【図２４】
0003760916.tif 000026
【図２６】
0003760916.tif 000027
【図２７】
0003760916.tif 000028
【図２８】
0003760916.tif 000029
【図２９】
0003760916.tif 000030
【図３０】
0003760916.tif 000031
【図３１】
0003760916.tif 000032
【図３２】
0003760916.tif 000033
【図３３】
0003760916.tif 000034
【図３４】
0003760916.tif 000035
【図３５】
0003760916.tif 000036
【図３６】
0003760916.tif 000037
【図３７】
0003760916.tif 000038
【図３８】
0003760916.tif 000039
【図３９】
0003760916.tif 000040
【図４０】
0003760916.tif 000041
【図４１】
0003760916.tif 000042
【図４２】
0003760916.tif 000043
【図４３】
0003760916.tif 000044
【図４４】
0003760916.tif 000045